(57)【要約】    【課題】暗い画像を表示する際の輝度階調の表現能力を高めることができるプラズマディスプレイパネルの駆動方法を提供する。    【解決手段】先頭サブフィールドでは、ＰＤＰの画素セルを消灯モードに初期化するリセット行程と、画素セルを選択的に点灯モードに設定する第１アドレス行程と、を実行し、先頭サブフィールドに後続する各サブフィールドでは、画素セルを点灯モード又は消灯モードに設定する第２アドレス行程とを実行し、第１アドレス行程にてアドレス放電のために列電極に印加する第１のアドレス電位を、第２アドレス行程にてアドレス放電のために列電極に印加する第２のアドレス電位に比べて大とする。【選択図】図８
2008170780.tif 000002
【特許請求の範囲】
【請求項１】
放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、
前記蛍光体層は蛍光体材料及び二次電子放出材料を含み、
前記映像信号における１フィールド表示期間を複数のサブフィールドに分割した際の先頭のサブフィールドにて、画素セルをリセット放電させることにより前記画素セルを消灯モードに初期化するリセット行程と、前記画素データに応じて選択的に前記画素セルをアドレス放電せしめることにより前記画素セルを点灯モードに設定する第１アドレス行程と、を実行し、
前記先頭のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、
前記第１アドレス行程にて前記列電極に印加する第１のアドレス電位を、前記第２アドレス行程にて前記列電極に印加する第２のアドレス電位に比べて大とすることを特徴とするプラズマディスプレイパネルの駆動方法。
【請求項２】
前記リセット行程では、前記行電極対の一方の行電極を陽極側、前記列電極を陰極側とした電圧を前記一方の行電極及び前記列電極間に印加することにより前記前記一方の行電極及び前記列電極間において前記リセット放電を生起させることを特徴とする請求項１に記載のプラズマディスプレイパネルの駆動方法。
【請求項３】
前記リセット放電の際、前記行電極対の他方の行電極及び前記一方の行電極間での放電を防止させる電位を前記他方の行電極に印加することを特徴とする請求項１記載のプラズマディスプレイパネルの駆動方法。
【請求項４】
前記先頭のサブフィールドにおいて、前記アドレス行程に引き続き、前記一方の行電極のみに１回だけサスティンパルスを印加することにより前記点灯モードに設定されている前記画素セルのみを１回分だけサスティン放電せしめるサスティン行程を実行することを特徴とする請求項１記載のプラズマディスプレイパネルの駆動方法。
【請求項５】
１フィールド表示期間内の前記サブフィールド各々の内の前記先頭のサブフィールドのみで前記リセット行程を実行することを特徴とする請求項１記載のプラズマディスプレイパネルの駆動方法。
【請求項６】
前記第２アドレス行程において、前記画素データに応じて選択的に前記画素セルを消去放電せしめることによりこの画素セルを前記消灯モードの状態に設定する選択消去アドレス放電を実行することを特徴とする請求項１記載のプラズマディスプレイパネルの駆動方法。
【請求項７】
前記第２アドレス行程において、前記画素データに応じて選択的に前記画素セルを書込放電せしめることによりこの画素セルを前記点灯モードの状態に設定する選択書込アドレス放電を実行することを特徴とする請求項１記載のプラズマディスプレイパネルの駆動方法。
【請求項８】
前記リセット行程において、前記一方の行電極に印加する電位を時間経過に伴い徐々に増加することにより前記リセット放電を生起させる電圧を前記列電極及び前記一方の行電極間に生じさせることを特徴とする請求項２記載のプラズマディスプレイパネルの駆動方法。
【請求項９】
前記第１アドレス行程において、前記一方の行電極に負極性のベース電位を印加すると共に、前記行電極対の他方の行電極に正極性のベース電位を印加することを特徴とする請求項１記載のプラズマディスプレイパネルの駆動方法。
【請求項１０】
前記二次電子放出材料は酸化マグネシウムからなることを特徴とする請求項１記載のプラズマディスプレイパネルの駆動方法。
【請求項１１】
前記酸化マグネシウムは、電子線によって励起されて波長域200〜300nm内にピークを有するカソード・ルミネッセンス発光を行う酸化マグネシウム結晶体を含むことを特徴とする請求項１０記載のプラズマディスプレイパネルの駆動方法。
【請求項１２】
前記酸化マグネシウム結晶体が、気相酸化法によって生成された酸化マグネシウム単結晶体であることを特徴とする請求項１１記載のプラズマディスプレイパネルの駆動方法。
【請求項１３】
前記放電空間内において前記二次電子放出材からなる粒子が前記放電ガスに接触していることを特徴とする請求項１に記載のプラズマディスプレイパネルの駆動方法。
【請求項１４】
放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、
前記蛍光体層は蛍光体材料及び二次電子放出材料を含み、
前記映像信号における１フィールド表示期間を複数のサブフィールドに分割した際の少なくとも先頭のサブフィールド及び当該先頭のサブフィールドの直後の第２番目のサブフィールド各々では、前記画素セルをリセット放電させることにより前記画素セルを消灯モードの状態に初期化するリセット行程と、前記画素データに応じて選択的に前記画素セルをアドレス放電させることにより前記画素セルを点灯モードの状態に遷移させる第１アドレス行程と、を順次実行し、
前記第２番目のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、
前記第２番目のサブフィールドの前記第１アドレス行程にて前記列電極に印加する第１のアドレス電位を、前記第２アドレス行程にて前記列電極に印加する第２のアドレス電位に比べて大とすることを特徴とするプラズマディスプレイパネルの駆動方法。
【請求項１５】
前記先頭のサブフィールドの前記第１アドレス行程にて前記列電極に印加する第１のアドレス電位を、前記第２アドレス行程にて前記列電極に印加する第２のアドレス電位に比べて大とすることを特徴とする請求項１４に記載のプラズマディスプレイパネルの駆動方法。
【請求項１６】
前記リセット行程では、前記行電極対の一方の行電極を陽極側、前記列電極を陰極側とした電圧を前記一方の行電極及び前記列電極間に印加することにより前記一方の行電極及び前記列電極間において前記リセット放電を生起させることを特徴とする請求項１４に記載のプラズマディスプレイパネルの駆動方法。
【請求項１７】
前記リセット放電の際に、前記行電極対の他方の行電極及び前記一方の行電極間での放電を防止させる電位を前記他方の行電極に印加することを特徴とする請求項１４記載のプラズマディスプレイパネルの駆動方法。
【請求項１８】
前記リセット行程では、前記一方の行電極及び前記他方の行電極各々に正極性の電位を印加することを特徴とする請求項１４記載のプラズマディスプレイパネルの駆動方法。
【請求項１９】
前記先頭のサブフィールドにおける前記第１アドレス行程の直後において、前記行電極対の一方の行電極を陽極側、前記列電極を陰極側とした電圧を前記一方の行電極及び前記列電極間に印加することにより、前記先頭のサブフィールドにおける前記アドレス行程にて点灯モードに設定された画素セル内の前記列電極及び前記一方の行電極間にて微小発光放電を生起させる微小発光行程を実行することを特徴とする請求項１４記載のプラズマディスプレイパネルの駆動方法。
【請求項２０】
前記微小発光放電は、輝度レベル０よりも１段階だけ高輝度な階調に対応した発光を伴う放電であることを特徴とする請求項１９記載のプラズマディスプレイパネルの駆動方法。
【請求項２１】
前記第２番目のサブフィールドの前記リセット行程では、前記微小発光放電を生起させるべく前記一方の行電極に印加した電位を時間経過に伴って徐々に増加させることにより前記リセット放電を生起させることを特徴とする請求項１９記載のプラズマディスプレイパネルの駆動方法。
【請求項２２】
前記微小発光行程において前記微小発光放電を生起させるべく前記一方の行電極に印加する電位の立ち上がり区間での時間経過に伴う変化率が、前記リセット放電を生起させるべく前記一方の行電極に印加する電位の立ち上がり区間での時間経過に伴う変化率よりも高いことを特徴とする請求項１９記載のプラズマディスプレイパネルの駆動方法。
【請求項２３】
前記第２番目のサブフィールドに後続するサブフィールド各々において、前記一方の行電極及び前記他方の行電極各々に交互にサスティンパルスを印加することにより前記点灯モードの状態にある前記画素セルのみをサスティン放電せしめるサスティン行程を実行し、
前記微小発光行程において前記微小発光放電を生起させるべく前記一方の行電極に印加する電位が、前記サスティンパルスのピーク電位よりも低いことを特徴とする請求項１９記載のプラズマディスプレイパネルの駆動方法。
【請求項２４】
前記第２番目のサブフィールドにおいて、前記第１アドレス行程の直後に、前記一方の行電極のみに１回だけサスティンパルスを印加することにより前記点灯モードの状態にある前記画素セルのみをサスティン放電せしめるサスティン行程を実行することを特徴とする請求項１４記載のプラズマディスプレイパネルの駆動方法。
【請求項２５】
前記第２アドレス行程各々において、前記画素データに応じて選択的に前記画素セルを消去放電させることにより前記画素セルを前記点灯モードの状態から前記消灯モードの状態に遷移させる選択消去アドレス行程を実施することを特徴とする請求項１４記載のプラズマディスプレイパネルの駆動方法。
【請求項２６】
前記第２アドレス行程各々において、前記画素データに応じて選択的に前記画素セルを書込放電させることにより前記画素セルを前記消灯モードの状態から前記点灯モードの状態に遷移させる選択書込アドレス行程を実施することを特徴とする請求項１４記載のプラズマディスプレイパネルの駆動方法。
【請求項２７】
前記リセット行程において、前記一方の行電極に印加する電位を時間経過に伴い徐々に増加させることにより前記一方の行電極及び前記列電極間の電圧を徐々に増加させることを特徴とする請求項１４記載のプラズマディスプレイパネルの駆動方法。
【請求項２８】
前記二次電子放出材料は酸化マグネシウムからなることを特徴とする請求項１４記載のプラズマディスプレイパネルの駆動方法。
【請求項２９】
前記酸化マグネシウムは、電子線によって励起されて波長域200〜300nm内にピークを有するカソード・ルミネッセンス発光を行う酸化マグネシウム結晶体を含むことを特徴とする請求項２８記載のプラズマディスプレイパネルの駆動方法。
【請求項３０】
前記酸化マグネシウム結晶体は、気相酸化法によって生成されたものであることを特徴とする請求項２９記載のプラズマディスプレイパネルの駆動方法。
【請求項３１】
前記放電空間内において前記二次電子放出材からなる粒子が前記放電ガスに接触していることを特徴とする請求項１４記載のプラズマディスプレイパネルの駆動方法。
【請求項３２】
放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、
前記蛍光体層は蛍光体材料及び二次電子放出材料を含み、
前記映像信号における１フィールド表示期間を複数のサブフィールドに分割した際の先頭のサブフィールドにて、画素セルをリセット放電させることにより前記画素セルを消灯モードに初期化するリセット行程と、前記画素データに応じて選択的に前記画素セルをアドレス放電せしめることにより前記画素セルを点灯モードに設定する第１アドレス行程と、を実行し、
前記先頭のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、
前記第１アドレス行程にて前記一方の行電極と前記列電極との間に印加する第１の電圧を、前記第２アドレス行程にて前記一方の行電極と前記列電極との間に印加する第２の電圧に比べて大とすることを特徴とするプラズマディスプレイパネルの駆動方法。
【請求項３３】
前記第１のアドレス行程にて前記一方の行電極へ印加する走査パルスの電位を、前記第２のアドレス行程にて前記一方の行電極へ印加する走査パルスの電位に比べて低電位にすることを特徴とする請求項３２に記載のプラズマディスプレイパネルの駆動方法。
【請求項３４】
放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、
前記蛍光体層は蛍光体材料及び二次電子放出材料を含み、
前記映像信号における１フィールド表示期間を複数のサブフィールドに分割した際の少なくとも先頭のサブフィールド及び当該先頭のサブフィールドの直後の第２番目のサブフィールド各々では、前記画素セルをリセット放電させることにより前記画素セルを消灯モードの状態に初期化するリセット行程と、前記画素データに応じて選択的に前記画素セルをアドレス放電させることにより前記画素セルを点灯モードの状態に遷移させる第１アドレス行程と、を順次実行し、
前記第２番目のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、
前記第２番目のサブフィールドの前記第１アドレス行程にて前記行電極と前記列電極との間に印加する第１の電圧を、前記第２アドレス行程にて前記列電極と前記列電極との間に印加する第２の電圧に比べて大とすることを特徴とするプラズマディスプレイパネルの駆動方法。
【請求項３５】
前記第２番目のサブフィールドの第１のアドレス行程にて前記一方の行電極へ印加する走査パルスの電位を、前記第２のアドレス行程にて前記一方の行電極へ印加する走査パルスの電位に比べて低電位にすることを特徴とする請求項３４に記載のプラズマディスプレイパネルの駆動方法。
【請求項３６】
前記先頭のサブフィールドの第１のアドレス行程にて前記一方の行電極へ印加する走査パルスの電位を、前記第２のアドレス行程にて前記一方の行電極へ印加する走査パルスの電位に比べて低電位にすることを特徴とする請求項３４に記載のプラズマディスプレイパネルの駆動方法。
【請求項３７】
放電ガスが封入された放電空間を挟んで第１基板及び第２基板が対向配置されており、前記第１基板に形成されている複数の行電極対と前記第２基板に形成されている複数の列電極との各交叉部に画素セルが形成されているプラズマディスプレイパネルを、映像信号に基づく画素毎の画素データに応じて駆動するプラズマディスプレイパネルの駆動方法であって、
前記映像信号における１フィールド表示期間を複数のサブフィールドに分割した際の１のサブフィールドにて、前記画素データに応じて選択的に前記画素セルをアドレス放電せしめることにより前記画素セルを点灯モードに設定する第１アドレス行程を実行し、
前記１のサブフィールドに後続する各サブフィールドでは、前記画素データに応じて選択的に前記画素セルをアドレス放電せしめることにより前記画素セルを消灯モードに設定する第２アドレス行程とを実行し、
前記第１アドレス行程にて前記一方の行電極と前記列電極との間に印加する第１の電圧を、前記第２アドレス行程にて前記一方の行電極と前記列電極との間に印加する第２の電圧に比べて大とすることを特徴とするプラズマディスプレイパネルの駆動方法。
【請求項３８】
放電ガスが封入された放電空間を挟んで第１基板及び第２基板が対向配置されており、前記第１基板に形成されている複数の行電極対と前記第２基板に形成されている複数の列電極との各交叉部に画素セルが形成されているプラズマディスプレイパネルを、映像信号に基づく画素毎の画素データに応じて駆動し、前記画素データが最低輝度レベルを示す場合に表示される輝度が０．１cd/m2未満のプラズマディスプレイパネルの駆動方法であって、
前記映像信号における１フィールド表示期間を複数のサブフィールドに分割した際の１のサブフィールドにて、前記画素データに応じて選択的に前記画素セルをアドレス放電せしめることにより前記画素セルを点灯モードに設定する第１アドレス行程を実行し、
前記１のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、
前記第１アドレス行程にて前記一方の行電極と前記列電極との間に印加する第１の電圧を、前記第２アドレス行程にて前記一方の行電極と前記列電極との間に印加する第２の電圧に比べて大とすることを特徴とするプラズマディスプレイパネルの駆動方法。
【発明の詳細な説明】
【技術分野】
【０００１】
本発明は、プラズマディスプレイパネルの駆動方法に関する。
【背景技術】
【０００２】
現在、薄型表示装置として、ＡＣ型(交流放電型)のプラズマディスプレイパネル（以下、ＰＤＰと称する）が製品化されてきている。ＰＤＰ内には、２枚の基板、すなわち前面透明基板及び背面基板が所定間隙を介して対向配置されている。表示面としての上記前面透明基板の内面（背面基板と対向する面）には、互いに対をなして夫々画面左右方向に伸長する行電極対の複数が形成されている。更に、かかる前面透明基板の内面には、行電極対の各々を被覆する誘電体層が形成されている。一方、背面基板側には、行電極対と交叉するように画面上下方向に伸長する列電極の複数が形成されている。上記表示面側から見た場合、行電極対と列電極との交叉部に、画素に対応した画素セルが形成されている。
【０００３】
このようなＰＤＰに対して、入力映像信号に対応した中間調の表示輝度を得るべく、サブフィールド法を用いた階調駆動を実施する。
【０００４】
サブフィールド法に基づく階調駆動では、発光を実施すべき回数（又は期間）が夫々に割り当てられている複数のサブフィールド各々にて、１フィールド分の映像信号に対する表示駆動を実施する。各サブフィールドでは、アドレス行程と、サスティン行程とを順次実行する。アドレス行程では、入力映像信号に応じて、選択的に各画素セル内の行電極及び列電極間で選択放電を生起させて所定量の壁電荷を形成（又は消去）させる。サスティン行程では、所定量の壁電荷が形成されている画素セルのみを繰り返し放電させてその放電に伴う発光状態を維持する。更に、少なくとも先頭のサブフィールドにおいて上記アドレス行程に先立ち、リセット行程を実行する。かかるリセット行程では、全ての画素セル内において、対を為す行電極間にリセット放電を生起させることにより全画素セル内に残留する壁電荷の量を初期化する。
【０００５】
ここで、上記リセット放電は比較的強い放電であり、且つ表示すべき画像の内容には何ら関与しないものである為、この放電に伴う発光が画像のコントラストを低下させてしまうという問題があった。
【０００６】
そこで、電子線照射により励起されて波長２００〜３００ｎｍ内にピークを有するカソードルミネッセンス発光を行う酸化マグネシウム結晶体を、行電極対を被覆する誘電体層の表面に付着させることにより、放電遅れ時間を短縮させるようにしたＰＤＰ及びその駆動方法が提案された（例えば特許文献１参照）。かかるＰＤＰによれば、放電後のプライミング効果が比較的長時間継続するようになるので、微弱な放電を安定して生起させることが可能となる。そこで、時間経過に伴い徐々に電圧値がピーク電圧値に到るパルス波形を有するリセットパルスを上記の如きＰＤＰの行電極に印加することにより、互いに隣接する行電極間で微弱なリセット放電を生起させるようにしたのである。この際、リセット放電の微弱化により、その放電に伴う発光輝度が低下するので、画像のコントラストを高めることが可能となる。
【特許文献１】特開２００６−５４１６０号公報
【発明の開示】
【発明が解決しようとする課題】
【０００７】
しかしながら、このような駆動方法によっても、暗い画像を表示する際のいわゆる暗コントラストを十分に高めることができず、暗い画像を高品質な状態で提供することができないという問題があった。
【０００８】
本発明が解決しようとする課題には、上記の欠点が一例として挙げられ、暗い画像を表示する際の輝度階調の表現能力を高めることができるプラズマディスプレイパネルの駆動方法を提供することが本発明の目的である。
【課題を解決するための手段】
【０００９】
請求項１に係る発明のプラズマディスプレイパネルの駆動方法は、放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、前記蛍光体層は蛍光体材料及び二次電子放出材料を含み、前記映像信号における１フィールド表示期間を複数のサブフィールドに分割した際の先頭のサブフィールドにて、画素セルをリセット放電させることにより前記画素セルを消灯モードに初期化するリセット行程と、前記画素データに応じて選択的に前記画素セルをアドレス放電せしめることにより前記画素セルを点灯モードに設定する第１アドレス行程と、を実行し、前記先頭のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、前記第１アドレス行程にて前記列電極に印加する第１のアドレス電位を、前記第２アドレス行程にて前記列電極に印加する第２のアドレス電位に比べて大とすることを特徴としている。
【００１０】
請求項１４に係る発明のプラズマディスプレイパネルの駆動方法は、放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、前記蛍光体層は蛍光体材料及び二次電子放出材料を含み、前記映像信号における１フィールド表示期間を複数のサブフィールドに分割した際の少なくとも先頭のサブフィールド及び当該先頭のサブフィールドの直後の第２番目のサブフィールド各々では、前記画素セルをリセット放電させることにより前記画素セルを消灯モードの状態に初期化するリセット行程と、前記画素データに応じて選択的に前記画素セルをアドレス放電させることにより前記画素セルを点灯モードの状態に遷移させる第１アドレス行程と、を順次実行し、前記第２番目のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、前記第２番目のサブフィールドの前記第１アドレス行程にて前記列電極に印加する第１のアドレス電位を、前記第２アドレス行程にて前記列電極に印加する第２のアドレス電位に比べて大とすることを特徴としている。
【００１１】
請求項３２に係る発明のプラズマディスプレイパネルの駆動方法は、放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、前記蛍光体層は蛍光体材料及び二次電子放出材料を含み、前記映像信号における１フィールド表示期間を複数のサブフィールドに分割した際の先頭のサブフィールドにて、画素セルをリセット放電させることにより前記画素セルを消灯モードに初期化するリセット行程と、前記画素データに応じて選択的に前記画素セルをアドレス放電せしめることにより前記画素セルを点灯モードに設定する第１アドレス行程と、を実行し、前記先頭のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、前記第１アドレス行程にて前記一方の行電極と前記列電極との間に印加する第１の電圧を、前記第２アドレス行程にて前記一方の行電極と前記列電極との間に印加する第２の電圧に比べて大とすることを特徴としている。
【００１２】
請求項３４に係る発明のプラズマディスプレイパネルの駆動方法は、放電ガスが封入された放電空間を挟んで第１基板及び第２基板が対向配置されており、前記第１基板に形成されている複数の行電極対と前記第２基板に形成されている複数の列電極との各交叉部に蛍光体層を含む画素セルが形成されているプラズマディスプレイパネルを、映像信号に基づく画素毎の画素データに応じて駆動するプラズマディスプレイパネルの駆動方法であって、前記蛍光体層は蛍光体材料及び二次電子放出材料を含み、前記映像信号における１フィールド表示期間を複数のサブフィールドに分割した際の少なくとも先頭のサブフィールド及び当該先頭のサブフィールドの直後の第２番目のサブフィールド各々では、前記画素セルをリセット放電させることにより前記画素セルを消灯モードの状態に初期化するリセット行程と、前記画素データに応じて選択的に前記画素セルをアドレス放電させることにより前記画素セルを点灯モードの状態に遷移させる第１アドレス行程と、を順次実行し、前記第２番目のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、前記第２番目のサブフィールドの前記第１アドレス行程にて前記行電極と前記列電極との間に印加する第１の電圧を、前記第２アドレス行程にて前記列電極と前記列電極との間に印加する第２の電圧に比べて大とすることを特徴としている。
【００１３】
請求項３７に係る発明のプラズマディスプレイパネルの駆動方法は、放電ガスが封入された放電空間を挟んで第１基板及び第２基板が対向配置されており、前記第１基板に形成されている複数の行電極対と前記第２基板に形成されている複数の列電極との各交叉部に画素セルが形成されているプラズマディスプレイパネルを、映像信号に基づく画素毎の画素データに応じて駆動するプラズマディスプレイパネルの駆動方法であって、前記映像信号における１フィールド表示期間を複数のサブフィールドに分割した際の１のサブフィールドにて、前記画素データに応じて選択的に前記画素セルをアドレス放電せしめることにより前記画素セルを点灯モードに設定する第１アドレス行程を実行し、前記１のサブフィールドに後続する各サブフィールドでは、前記画素データに応じて選択的に前記画素セルをアドレス放電せしめることにより前記画素セルを消灯モードに設定する第２アドレス行程とを実行し、前記第１アドレス行程にて前記一方の行電極と前記列電極との間に印加する第１の電圧を、前記第２アドレス行程にて前記一方の行電極と前記列電極との間に印加する第２の電圧に比べて大とすることを特徴としている。
【００１４】
請求項３８に係る発明のプラズマディスプレイパネルの駆動方法は、放電ガスが封入された放電空間を挟んで第１基板及び第２基板が対向配置されており、前記第１基板に形成されている複数の行電極対と前記第２基板に形成されている複数の列電極との各交叉部に画素セルが形成されているプラズマディスプレイパネルを、映像信号に基づく画素毎の画素データに応じて駆動し、前記画素データが最低輝度レベルを示す場合に表示される輝度が０．１cd/m2未満のプラズマディスプレイパネルの駆動方法であって、前記映像信号における１フィールド表示期間を複数のサブフィールドに分割した際の１のサブフィールドにて、前記画素データに応じて選択的に前記画素セルをアドレス放電せしめることにより前記画素セルを点灯モードに設定する第１アドレス行程を実行し、前記１のサブフィールドに後続する各サブフィールドでは、前記画素データに応じて選択的に前記画素セルをアドレス放電せしめることにより前記画素セルを点灯モード又は消灯モードに設定する第２アドレス行程とを実行し、前記第１アドレス行程にて前記一方の行電極と前記列電極との間に印加する第１の電圧を、前記第２アドレス行程にて前記一方の行電極と前記列電極との間に印加する第２の電圧に比べて大とすることを特徴としている。
【発明を実施するための最良の形態】
【００１５】
請求項１に係る発明のプラズマディスプレイパネルの駆動方法においては、１フィールド表示期間内における複数のサブフィールドのうちの先頭のサブフィールドの第１アドレス行程にてアドレス放電のために画素セルの列電極に印加される第１のアドレス電位がそれに続く後続サブフィールド各々の第２アドレス行程にてアドレス放電のために列電極に印加される第２のアドレス電位より高くされるので、先頭サブフィールドのリセット放電後のアドレス放電を強くして書込を安定化させつつ、先頭サブフィールドのリセット放電を微弱化して暗い画像を表示する際の輝度階調の表現能力を高めることができる。
【００１６】
請求項１４に係る発明のプラズマディスプレイパネルの駆動方法においては、１フィールド表示期間内における複数のサブフィールドのうちの第２番目のサブフィールドの第１アドレス行程にてアドレス放電のために画素セルの列電極に印加される第１のアドレス電位がそれに続く後続サブフィールド各々の第２アドレス行程にてアドレス放電のために列電極に印加される第２のアドレス電位に比べて高くされるので、第２番目のサブフィールドのリセット放電後のアドレス放電を強くして書込を安定化させつつ、先頭サブフィールドのサブフィールドのリセット放電を微弱化して暗い画像を表示する際の輝度階調の表現能力を高めることができる。
【００１７】
請求項３２に係る発明のプラズマディスプレイパネルの駆動方法においては、１フィールド表示期間内における複数のサブフィールドのうちの先頭のサブフィールドの第１アドレス行程にてアドレス放電のために画素セルの一方の行電極と列電極との間に印加される第１の電圧がそれに続く後続サブフィールド各々の第２アドレス行程にてアドレス放電のために一方の行電極と列電極との間に印加される第２の電圧より高くされるので、先頭サブフィールドのリセット放電後のアドレス放電を強くして書込を安定化させつつ、先頭サブフィールドのリセット放電を微弱化して暗い画像を表示する際の輝度階調の表現能力を高めることができる。
【００１８】
請求項３４に係る発明のプラズマディスプレイパネルの駆動方法においては、１フィールド表示期間内における複数のサブフィールドのうちの第２番目のサブフィールドの第１アドレス行程にてアドレス放電のために画素セルの一方の行電極と列電極との間に印加される第１の電圧がそれに続く後続サブフィールド各々の第２アドレス行程にてアドレス放電のために一方の行電極と列電極との間に印加される第２の電圧に比べて高くされるので、第２番目のサブフィールドのリセット放電後のアドレス放電を強くして書込を安定化させつつ、先頭サブフィールドのサブフィールドのリセット放電を微弱化して暗い画像を表示する際の輝度階調の表現能力を高めることができる。
【００１９】
請求項３７に係る発明のプラズマディスプレイパネルの駆動方法においては、１フィールド表示期間内における複数のサブフィールドのうちの１のサブフィールドの第１アドレス行程にてアドレス放電のために画素セルの一方の行電極と列電極との間に印加される第１の電圧が１のサブフィールドに続く後続サブフィールド各々の第２アドレス行程にて一方の行電極と列電極との間に印加される第２の電圧より高くされるので、先頭サブフィールドのアドレス放電を強くして書込を安定化させつつ、暗い画像を表示する際の輝度階調の表現能力を高めることができる。
【００２０】
請求項３８に係る発明のプラズマディスプレイパネルの駆動方法においては、１フィールド表示期間内における複数のサブフィールドのうちの１のサブフィールドの第１アドレス行程にてアドレス放電のために画素セルの一方の行電極と列電極との間に印加される第１の電圧が１のサブフィールドに続く後続サブフィールド各々の第２アドレス行程にて一方の行電極と列電極との間に印加される第２の電圧より高くされるので、先頭サブフィールドのアドレス放電を強くして書込を安定化させつつ、０．１cd/m2未満の輝度にような暗い画像を表示する際の輝度階調の表現能力を高めることができる。
【実施例】
【００２１】
以下、本発明の実施例を図面を参照しつつ詳細に説明する。
【００２２】
図１は、本発明による駆動方法に従ってプラズマディスプレイパネルを駆動するプラズマディスプレイ装置の概略構成を示す図である。
【００２３】
図１に示す如く、かかるプラズマディスプレイ装置は、プラズマディスプレイパネルとしてのＰＤＰ５０、Ｘ電極ドライバ５１、Ｙ電極ドライバ５３、アドレスドライバ５５、及び駆動制御回路５６から構成される。
【００２４】
ＰＤＰ５０には、２次元表示画面の縦方向（垂直方向）に夫々伸張して配列された列電極Ｄ1〜Ｄm、横方向（水平方向）に夫々伸張して配列された行電極Ｘ1〜Ｘn及び行電極Ｙ1〜Ｙnが形成されている。この際、互いに隣接するもの同士で対を為す行電極対（Ｙ1，Ｘ1）、（Ｙ2，Ｘ2）、（Ｙ3，Ｘ3）、・・・、（Ｙn，Ｘn）が夫々、ＰＤＰ５０における第１表示ライン〜第ｎ表示ラインを担う。各表示ラインと列電極Ｄ1〜Ｄm各々との各交叉部(図１中の一点鎖線にて囲まれた領域)には、画素を担う画素セルＰＣが形成されている。すなわち、ＰＤＰ５０には、第１表示ラインに属する画素セルＰＣ1,1〜ＰＣ1,m、第２表示ラインに属する画素セルＰＣ2,1〜ＰＣ2,m、・・・・、第ｎ表示ラインに属する画素セルＰＣn,1〜ＰＣn,mの各々がマトリクス状に配列されているのである。
【００２５】
図２は、表示面側から眺めたＰＤＰ５０の内部構造を模式的に示す正面図である。なお、図２においては、夫々隣接する３つの列電極Ｄと、互いに隣接する２つの表示ラインとの各交叉部を抜粋して示すものである。また、図３は、図２のＶ−Ｖ線におけるＰＤＰ５０の断面を示す図であり、図４は、図２のＷ−Ｗ線におけるＰＤＰ５０の断面を示す図である。
【００２６】
図２に示すように、各行電極Ｘは、２次元表示画面の水平方向に伸張するバス電極Ｘｂと、かかるバス電極Ｘｂ上の各画素セルＰＣに対応した位置に夫々接触して設けられたＴ字形状の透明電極Ｘａと、から構成される。各行電極Ｙは、２次元表示画面の水平方向に伸張するバス電極Ｙｂと、かかるバス電極Ｙｂ上の各画素セルＰＣに対応した位置に夫々接触して設けられたＴ字形状の透明電極Ｙａと、から構成される。透明電極Ｘａ及びＹａは例えばＩＴＯ等の透明導電膜からなり、バス電極Ｘｂ及びＹｂは例えば金属膜からなる。透明電極Ｘａ及バス電極Ｘｂからなる行電極Ｘ、並びに透明電極Ｙａ及バス電極Ｙｂからなる行電極Ｙは、図３に示す如く、その前面側がＰＤＰ５０の表示面となる前面透明基板１０の背面側に形成されている。この際、各行電極対（Ｘ、Ｙ）における透明電極Ｘａ及びＹａは、互いに対となる相手の行電極側に伸張しており、その幅広部の頂辺同士が所定幅の放電ギャップｇ１を介して互いに対向している。また、前面透明基板１０の背面側には、行電極対（Ｘ、Ｙ）とこの行電極対に隣接する行電極対（Ｘ、Ｙ）との間に、２次元表示画面の水平方向に伸張する黒色または暗色の光吸収層（遮光層）１１が形成されている。さらに、前面透明基板１０の背面側には、行電極対（Ｘ，Ｙ）を被覆するように誘電体層１２が形成されている。この誘電体層１２の背面側（行電極対が接触する面とは反対側の面）には、図３に示す如く、光吸収層１１とこの光吸収層１１に隣接するバス電極Ｘｂ及びＹｂとが形成されている領域に対応した部分に、嵩上げ誘電体層１２Ａが形成されている。
【００２７】
誘電体層１２及び嵩上げ誘電体層１２Ａの表面上には、酸化マグネシウム層１３が形成されている。酸化マグネシウム層１３は、電子線の照射によって励起されて波長２００〜３００ｎｍ内、特に、２３０〜２５０ｎｍ内にピークを有するＣＬ（カソードルミネッセンス）発光を行う二次電子放出材としての酸化マグネシウム結晶体（以下、ＣＬ発光ＭｇＯ結晶体と称する）を含むものである。このＣＬ発光ＭｇＯ結晶体は、マグネシウムを加熱して発生するマグネシウム蒸気を気相酸化して得られるものであり、例えば立方体の結晶体が互いに嵌り込んだ多重結晶構造、あるいは立方体の単結晶構造を有する。ＣＬ発光ＭｇＯ結晶体の平均粒径は、２０００オングストローム以上（ＢＥＴ法による測定結果）である。
【００２８】
平均粒径が２０００オングストローム以上の大きな粒径の気相法酸化マグネシウム単結晶体を形成しようとする場合には、マグネシウム蒸気を発生させる際の加熱温度を高くする必要がある。このため、マグネシウムと酸素が反応する火炎の長さが長くなり、この火炎と周囲との温度差が大きくなることによって、粒径の大きい気相法酸化マグネシウム単結晶体ほど、上述した如きＣＬ発光のピーク波長（例えば、２３５ｎｍ付近、２３０〜２５０ｎｍ内）に対応したエネルギー準位を有するものが多く形成されることになる。
【００２９】
また、一般的な気相酸化法に比べ、単位時間当たりに蒸発させるマグネシウムの量を増加させてマグネシウムと酸素との反応領域をより増大させ、より多くの酸素と反応することによって生成された気相法酸化マグネシウム単結晶体は、上述したＣＬ発光のピーク波長に対応したエネルギー準位を有するものとなる。
【００３０】
このようなＣＬ発光ＭｇＯ結晶体を、スプレー法や静電塗布法等によって、誘電体層１２の表面に付着させることにより酸化マグネシウム層１３が形成されている。なお、誘電体層１２の表面に蒸着又はスパッタ法により薄膜酸化マグネシウム層を形成し、その上にＣＬ発光ＭｇＯ結晶体を付着させて酸化マグネシウム層１３を形成するようにしても良い。
【００３１】
一方、前面透明基板１０と平行に配置された背面基板１４上には、各行電極対（Ｘ，Ｙ）における透明電極Ｘａ及びＹａに対向する位置において、列電極Ｄの各々が行電極対（Ｘ，Ｙ）と直交する方向に伸張して形成されている。背面基板１４上には、更に列電極Ｄを被覆する白色の列電極保護層１５が形成されている。この列電極保護層１５上には隔壁１６が形成されている。隔壁１６は、各行電極対（Ｘ，Ｙ）のバス電極Ｘｂ及びＹｂに対応した位置において夫々２次元表示画面の横方向に伸張している横壁１６Ａと、互いに隣接する列電極Ｄ間の各中間位置において２次元表示画面の縦方向に伸張している縦壁１６Ｂとによって梯子形状に形成されている。更に、図２に示す如き梯子形状の隔壁１６がＰＤＰ５０の各表示ライン毎に形成されている。互いに隣接する隔壁１６の間には、図２に示す如き隙間ＳＬが存在する。また、梯子状の隔壁１６により、夫々独立した放電空間Ｓ、透明電極Ｘａ及びＹａを含む画素セルＰＣが区画されている。放電空間Ｓ内には、キセノンガスを含む放電ガスが封入されている。各画素セルＰＣ内における横壁１６Ａの側面、縦壁１６Ｂの側面、及び列電極保護層１５の表面には、これらの面を全て覆うように蛍光体層１７が形成されている。この蛍光体層１７は、実際には、赤色発光を為す蛍光体、緑色発光を為す蛍光体、及び青色発光を為す蛍光体の３種類からなる。
【００３２】
なお、蛍光体層１７内には、例えば図５に示す如き形態にて、二次電子放出材としてのＭｇＯ結晶体（ＣＬ発光ＭｇＯ結晶体を含む）が含まれている。この際、少なくとも蛍光体層１７の表面上、すなわち放電空間Ｓと接する面上には、放電ガスと接触するようにＭｇＯ結晶体が蛍光体層１７から露出している。
【００３３】
ここで、各画素セルＰＣの放電空間Ｓと隙間ＳＬとの間は、図３に示す如く酸化マグネシウム層１３が横壁１６Ａに当接されることによって互いに閉じられている。また、図４に示す如く、縦壁１６Ｂは酸化マグネシウム層１３に当接されていないので、その間に隙間ｒが存在する。すなわち、２次元表示画面の横方向において互いに隣接する画素セルＰＣ各々の放電空間Ｓは、この隙間ｒを介して互いに連通しているのである。
【００３４】
駆動制御回路５６は、先ず、入力映像信号を各画素毎にその全ての輝度レベルを２５６階調にて表現する８ビットの画素データに変換し、この画素データに対して誤差拡散処理及びディザ処理からなる多階調化処理を施す。すなわち、先ず、誤差拡散処理では、上記画素データの上位６ビット分を表示データ、残りの下位２ビット分を誤差データとし、周辺画素各々に対応した画素データにおける誤差データを重み付け加算したものを、上記表示データに反映させることにより６ビットの誤差拡散処理画素データを得る。かかる誤差拡散処理によれば、原画素における下位２ビット分の輝度が周辺画素によって擬似的に表現され、それ故に８ビットよりも少ない６ビット分の表示データにて、上記８ビット分の画素データと同等の輝度階調表現が可能になる。次に、駆動制御回路５６は、この誤差拡散処理によって得られた６ビットの誤差拡散処理画素データに対してディザ処理を施す。ディザ処理では、互いに隣接する複数の画素を１画素単位とし、この１画素単位内の各画素に対応した上記誤差拡散処理画素データに夫々、互いに異なる係数値からなるディザ係数を夫々割り当てて加算することによりディザ加算画素データを得る。かかるディザ係数の加算によれば、上記の如き画素単位で眺めた場合には、ディザ加算画素データの上位４ビット分だけでも８ビットに相当する輝度を表現することが可能となる。そこで、駆動制御回路５６は、ディザ加算画素データの上位４ビット分を、図６に示す如き、全輝度レベルを１５階調にて表す４ビットの多階調化画素データＰＤSに変換する。そして、駆動制御回路５６は、多階調化画素データＰＤSを図６に示す如きデータ変換テーブルに従って１４ビットの画素駆動データＧＤに変換する。駆動制御回路５６は、かかる画素駆動データＧＤにおける第１〜第１４ビットを夫々サブフィールドＳＦ１〜ＳＦ１４（後述する）の各々に対応させ、そのサブフィールドＳＦに対応したビット桁を画素駆動データビットとして１表示ライン分（ｍ個）ずつアドレスドライバ５５に供給する。
【００３５】
更に、駆動制御回路５６は、図７に示す如き発光駆動シーケンスに従って上記構造を有するＰＤＰ５０を駆動させるべき各種制御信号を、Ｘ電極ドライバ５１、Ｙ電極ドライバ５３及びアドレスドライバ５５からなるパネルドライバに供給する。すなわち、駆動制御回路５６は、図７に示す如き１フィールド（１フレーム）表示期間内の先頭のサブフィールドＳＦ１では、リセット行程Ｒ、選択書込アドレス行程ＷW及びサスティン行程Ｉ各々に従った駆動を順次実施させるべき各種制御信号をパネルドライバに供給する。サブフィールドＳＦ２〜ＳＦ１４各々では、選択消去アドレス行程ＷD及びサスティン行程Ｉ各々に従った駆動を順次実施させるべき各種制御信号をパネルドライバに供給する。１フィールド表示期間内の最後尾のサブフィールドＳＦ１４に限り、サスティン行程Ｉの実行後、駆動制御回路５６は、消去行程Ｅに従った駆動を順次実施させるべき各種制御信号をパネルドライバに供給する。
【００３６】
パネルドライバ、すなわち、Ｘ電極ドライバ５１、Ｙ電極ドライバ５３及びアドレスドライバ５５は、駆動制御回路５６から供給された各種制御信号に応じて、図８に示す如き各種駆動パルスを生成してＰＤＰ５０の列電極Ｄ、行電極Ｘ及びＹに供給する。
【００３７】
図８においては、図７に示されるサブフィールドＳＦ１〜ＳＦ１４の内の、先頭のサブフィールドＳＦ１と、それに続くサブフィールドＳＦ２、並びに最後尾のサブフィールドＳＦ１４での動作のみを抜粋して示すものである。
【００３８】
先ず、サブフィールドＳＦ１のリセット行程Ｒの前半部では、Ｙ電極ドライバ５３が、後述するサスティンパルスに比して時間経過に伴う前縁部での電位推移が緩やかな波形を有する正極性のリセットパルスＲＰY1を全ての行電極Ｙ1〜Ｙnに印加する。リセットパルスＲＰY1のピーク電位は、上記サスティンパルスのピーク電位よりも高電位である。この間、アドレスドライバ５５は、列電極Ｄ1〜Ｄmを接地電位（０ボルト）の状態に設定する。上記リセットパルスＲＰY1の印加に応じて、全ての画素セルＰＣ各々内の行電極Ｙ及び列電極Ｄ間において第１リセット放電が生起される。すなわち、リセット行程Ｒの前半部では、行電極Ｙが陽極側、列電極Ｄが陰極側となるように両電極間に電圧を印加することにより、行電極Ｙから列電極Ｄに向けて電流が流れる放電（以下、列側陰極放電と称する）を上記第１リセット放電として生起させるのである。かかる第１リセット放電に応じて、全ての画素セルＰＣ内の行電極Ｙ近傍には負極性の壁電荷、列電極Ｄ近傍には正極性の壁電荷が形成される。
【００３９】
リセット行程Ｒの前半部では、Ｘ電極ドライバ５１が、かかるリセットパルスＲＰY1と同一極性であり、且つ、上記リセットパルスＲＰY1の印加に伴う行電極Ｘ及びＹ間での面放電を防止し得るピーク電位を有するリセットパルスＲＰXを全ての行電極Ｘ1〜Ｘn各々に印加する。
【００４０】
次に、サブフィールドＳＦ１のリセット行程Ｒの後半部では、Ｙ電極ドライバ５３が、時間経過に伴う前縁部での電位推移が緩やかな負極性のリセットパルスＲＰY2を発生し、これを全ての行電極Ｙ1〜Ｙnに印加する。更に、リセット行程Ｒの後半部では、Ｘ電極ドライバ５１が、正極性の所定のベース電位を有するベースパルスＢＰ+を全ての行電極Ｘ1〜Ｘn各々に印加する。この際、これら負極性のリセットパルスＲＰY2及び正極性のベースパルスＢＰ+の印加に応じて、全ての画素セルＰＣ内の行電極Ｘ及びＹ間において第２リセット放電が生起される。リセットパルスＲＰY2及びベースパルスＢＰ+各々のピーク電位は、上記第１リセット放電に応じて行電極Ｘ及びＹ各々の近傍に形成された壁電荷を考慮した上で、行電極Ｘ及びＹ間において確実に上記第２リセット放電を生起させることができる最低の電位である。リセットパルスＲＰY2における負のピーク電位は、後述する負極性の書込走査パルスＳＰWのピーク電位よりも高い電位、つまり０ボルトに近い電位に設定されている。すなわち、リセットパルスＲＰY2のピーク電位を書込走査パルスＳＰWのピーク電位よりも低くしてしまうと、行電極Ｙ及び列電極Ｄ間において強い放電が生起され、列電極Ｄ近傍に形成されていた壁電荷が大幅に消去されてしまい、選択書込アドレス行程ＷWでのアドレス放電が不安定となるからである。リセット行程Ｒの後半部において生起された第２リセット放電により、各画素セルＰＣ内の行電極Ｘ及びＹ各々の近傍に形成されていた壁電荷が消去され、全ての画素セルＰＣが消灯モードに初期化される。更に、上記リセットパルスＲＰY2の印加に応じて、全ての画素セルＰＣ内の行電極Ｙ及び列電極Ｄ間においても微弱な放電が生起され、かかる放電により、列電極Ｄ近傍に形成されていた正極性の壁電荷の一部が消去され、後述する選択書込アドレス行程ＷWにおいて正しく選択書込アドレス放電を生起させ得る量に調整される。
【００４１】
次に、サブフィールドＳＦ１の選択書込アドレス行程ＷWでは、Ｙ電極ドライバ５３が、図８に示す如き負極性の所定ベース電位を有するベースパルスＢＰ-を行電極Ｙ1〜Ｙnに同時に印加しつつ、負極性のピーク電位を有する書込走査パルスＳＰWを行電極Ｙ1〜Ｙn各々に順次択一的に印加して行く。Ｘ電極ドライバ５１は、リセット行程Ｒの後半部で行電極Ｘ1〜Ｘnに印加したベースパルスＢＰ+をこの選択書込アドレス行程ＷWにおいても引き続き行電極Ｘ1〜Ｘn各々に印加する。なお、上記ベースパルスＢＰ-及びベースパルスＢＰ+各々の電位は、書込走査パルスＳＰWの非印加期間中における行電極Ｘ及びＹ間の電圧が画素セルＰＣの放電開始電圧よりも低くなるような電位に設定されている。
【００４２】
更に、この選択書込アドレス行程ＷWでは、アドレスドライバ５５が、先ず、サブフィールドＳＦ１に対応した画素駆動データビットをその論理レベルに応じたパルス電圧を有する画素データパルスＤＰに変換する。例えば、アドレスドライバ５５は、画素セルＰＣを点灯モードに設定させるべき論理レベル１の画素駆動データビットが供給された場合にはこれを正極性のピーク電位Ｖ１（第１のアドレス電位）を有する画素データパルスＤＰに変換する。一方、画素セルＰＣを消灯モードに設定させるべき論理レベル０の画素駆動データビットに対してはこれを低電圧(０ボルト)の画素データパルスＤＰに変換する。そして、アドレスドライバ５５は、かかる画素データパルスＤＰを１表示ライン分(ｍ個)ずつ、各書込走査パルスＳＰWの印加タイミングに同期して列電極Ｄ1〜Ｄmに印加して行く。この際、上記書込走査パルスＳＰWと同時に、点灯モードに設定させるべき高電圧Ｖ１（第１の電圧）の画素データパルスＤＰが印加された画素セルＰＣ内の列電極Ｄ及び行電極Ｙ間には選択書込アドレス放電が生起される。更に、かかる選択書込アドレス放電の直後、この画素セルＰＣ内の行電極Ｘ及びＹ間にも微弱な放電が生起される。つまり、書込走査パルスＳＰWが印加された後、行電極Ｘ及びＹ間にはベースパルスＢＰ-及びベースパルスＢＰ+に応じた電圧が印加されるが、この電圧は各画素セルＰＣの放電開始電圧よりも低い電圧に設定されている為、かかる電圧の印加だけでは画素セルＰＣ内で放電が生起されることはない。ところが、上記選択書込アドレス放電が生起されると、この選択書込アドレス放電に誘発されて、ベースパルスＢＰ-及びベースパルスＢＰ+に基づく電圧印加だけで、行電極Ｘ及びＹ間に放電が生起されるのである。かかる放電並びに上記選択書込アドレス放電により、この画素セルＰＣは、その行電極Ｙ近傍に正極性の壁電荷、行電極Ｘ近傍に負極性の壁電荷、列電極Ｄ近傍に負極性の壁電荷が夫々形成された状態、すなわち、点灯モードに設定される。一方、上記書込走査パルスＳＰWと同時に、消灯モードに設定させるべき低電圧（０ボルト）の画素データパルスＤＰが印加された画素セルＰＣ内の列電極Ｄ及び行電極Ｙ間には上述した如き選択書込アドレス放電は生起されず、それ故に行電極Ｘ及びＹ間にでの放電も生じることはない。よって、この画素セルＰＣは、その直前までの状態、すなわち、リセット行程Ｒにおいて初期化された消灯モードの状態を維持する。
【００４３】
次に、サブフィールドＳＦ１のサスティン行程Ｉでは、Ｙ電極ドライバ５３が、正極性のピーク電位を有するサスティンパルスＩＰを１パルス分だけ発生しこれを行電極Ｙ1〜Ｙn各々に同時に印加する。この間、Ｘ電極ドライバ５１は、行電極Ｘ1〜Ｘnを接地電位（０ボルト）の状態に設定し、アドレスドライバ５５は、列電極Ｄ1〜Ｄmを接地電位（０ボルト）の状態に設定する。上記サスティンパルスＩＰの印加に応じて、上述した如き点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、このサブフィールドＳＦ１の輝度重みに対応した１回分の表示発光が為される。また、かかるサスティンパルスＩＰの印加に応じて、点灯モードに設定されている画素セルＰＣ内の行電極Ｙ及び列電極Ｄ間においても放電が生起される。かかる放電並びに上記サスティン放電により、画素セルＰＣ内の行電極Ｙ近傍には負極性の壁電荷、行電極Ｘ及び列電極Ｄ各々の近傍には夫々正極性の壁電荷が形成される。そして、かかるサスティンパルスＩＰの印加後、Ｙ電極ドライバ５３は、図８に示す如く時間経過に伴う前縁部での電位推移が緩やかな負極性のピーク電位を有する壁電荷調整パルスＣＰを行電極Ｙ1〜Ｙnに印加する。かかる壁電荷調整パルスＣＰの印加に応じて、上記の如きサスティン放電の生起された画素セルＰＣ内で微弱な消去放電が生起され、その内部に形成されていた壁電荷の一部が消去される。これにより、画素セルＰＣ内の壁電荷の量が、次の選択消去アドレス行程ＷDにおいて正しく選択消去アドレス放電を生起させ得る量に調整される。
【００４４】
次に、サブフィールドＳＦ２〜ＳＦ１４各々の選択消去アドレス行程ＷDでは、Ｙ電極ドライバ５３が、正極性の所定ベース電位を有するベースパルスＢＰ+を行電極Ｙ1〜Ｙn各々に印加しつつ、図８に示す如き負極性のピーク電位を有する消去走査パルスＳＰDを行電極Ｙ1〜Ｙn各々に順次択一的に印加して行く。ベースパルスＢＰ+のピーク電位は、この選択消去アドレス行程ＷDの実行期間中に亘り、行電極Ｘ及びＹ間での誤った放電を防止し得る電位に設定されている。また、選択消去アドレス行程ＷDの実行期間中に亘り、Ｘ電極ドライバ５１は、行電極Ｘ1〜Ｘn各々を接地電位（０ボルト）に設定する。
【００４５】
この選択消去アドレス行程ＷDにおいて、アドレスドライバ５５は、先ず、そのサブフィールドＳＦに対応した画素駆動データビットをその論理レベルに応じたパルス電圧を有する画素データパルスＤＰに変換する。例えば、アドレスドライバ５５は、画素セルＰＣを点灯モードから消灯モードに遷移させるべき論理レベル１の画素駆動データビットが供給された場合にはこれを正極性のピーク電位Ｖ２（第２のアドレス電位）を有する画素データパルスＤＰに変換する。ピーク電位Ｖ２はサブフィールドＳＦ１における画素データパルスＤＰのピーク電位Ｖ１とは異なり、Ｖ１＞Ｖ２である。一方、画素セルＰＣの現状態を維持させるべき論理レベル０の画素駆動データビットが供給された場合にはこれを低電圧(０ボルト)の画素データパルスＤＰに変換する。そして、アドレスドライバ５５は、かかる画素データパルスＤＰを１表示ライン分(ｍ個)ずつ、各消去走査パルスＳＰDの印加タイミングに同期して列電極Ｄ1〜Ｄmに印加して行く。この際、上記消去走査パルスＳＰDと同時に、電圧Ｖ２（第２の電圧）の画素データパルスＤＰが印加された画素セルＰＣ内の列電極Ｄ及び行電極Ｙ間に選択消去アドレス放電が生起される。かかる選択消去アドレス放電により、この画素セルＰＣは、その行電極Ｙ及びＸ各々の近傍に正極性の壁電荷、列電極Ｄ近傍に負極性の壁電荷が夫々形成された状態、すなわち、消灯モードに設定される。一方、上記消去走査パルスＳＰDと同時に、低電圧（０ボルト）の画素データパルスＤＰが印加された画素セルＰＣ内の列電極Ｄ及び行電極Ｙ間には上述した如き選択消去アドレス放電は生起されない。よって、この画素セルＰＣは、その直前までの状態（点灯モード、消灯モード）を維持する。
【００４６】
次に、サブフィールドＳＦ２〜ＳＦ１４各々のサスティン行程Ｉでは、Ｘ電極ドライバ５１及びＹ電極ドライバ５３が、図８に示す如く、行電極Ｘ及びＹ交互に、そのサブフィールドの輝度重みに対応した回数（偶数回数）分だけ繰り返し、正極性のピーク電位を有するサスティンパルスＩＰを行電極Ｘ1〜Ｘn及びＹ1〜Ｙn各々に印加する。かかるサスティンパルスＩＰが印加される度に、点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、そのサブフィールドＳＦの輝度重みに対応した回数分の表示発光が為される。この際、サブフィールドＳＦ２〜ＳＦ１４各々のサスティン行程Ｉにおいて最終に印加されるサスティンパルスＩＰに応じてサスティン放電が生起された画素セルＰＣ内の行電極Ｙ近傍には負極性の壁電荷、行電極Ｘ及び列電極Ｄ各々の近傍には正極性の壁電荷が形成される。そして、かかる最終サスティンパルスＩＰの印加後、Ｙ電極ドライバ５３は、図８に示す如く時間経過に伴う前縁部での電位推移が緩やかな負極性のピーク電位を有する壁電荷調整パルスＣＰを行電極Ｙ1〜Ｙnに印加する。かかる壁電荷調整パルスＣＰの印加に応じて、上記の如きサスティン放電の生起された画素セルＰＣ内で微弱な消去放電が生起され、その内部に形成されていた壁電荷の一部が消去される。これにより、画素セルＰＣ内の壁電荷の量が、次の選択消去アドレス行程ＷDにおいて正しく選択消去アドレス放電を生起させ得る量に調整される。
【００４７】
そして、最終のサブフィールドＳＦ１４の最後尾において、Ｙ電極ドライバ５３は、負極性のピーク電位を有する消去パルスＥＰを全ての行電極Ｙ1〜Ｙnに印加する。かかる消去パルスＥＰの印加に応じて、点灯モード状態にある画素セルＰＣのみに消去放電が生起される。かかる消去放電によって点灯モード状態にあった画素セルＰＣは消灯モードの状態に遷移する。
【００４８】
以上の如き駆動を、図６に示す如き１５通りの画素駆動データＧＤに基づいて実行する。かかる駆動によると、図６に示すように、輝度レベル０を表現する場合（第１階調）を除き、先ず、先頭のサブフィールドＳＦ１において各画素セルＰＣ内で書込アドレス放電が生起され（二重丸にて示す）、この画素セルＰＣは点灯モードに設定される。その後、サブフィールドＳＦ２〜ＳＦ１４各々の内の１のサブフィールドの選択消去アドレス行程ＷOのみで選択消去アドレス放電が生起され（黒丸にて示す）、その後、画素セルＰＣは消灯モードに設定される。つまり、各画素セルＰＣは、表現すべき中間輝度に対応した分だけ連続したサブフィールド各々で点灯モードに設定され、これらサブフィールドの各々に割り当てられている回数分だけサスティン放電に伴う発光を繰り返し生起する（白丸にて示す）。この際、１フィールド（又は１フレーム）表示期間内において生起されたサスティン放電の総数に対応した輝度が視覚される。よって、図６に示す如き第１〜第１５階調駆動による１５種類の発光パターンによれば、白丸にて示すサブフィールド各々で生起されたサスティン放電の合計回数に対応した１５階調分の中間輝度が表現される。
【００４９】
かかる駆動によれば、１フィールド表示期間内において、その発光パターン（点灯状態、消灯状態）が互いに反転する領域が１画面内に混在することは無いので、このような状態で生じる疑似輪郭が防止される。
【００５０】
ここで、図８に示される駆動では、先頭のサブフィールドＳＦ１のリセット行程Ｒにおいて、列電極Ｄを陰極側、行電極Ｙを陽極側とした電圧を両電極間に印加することにより、行電極Ｙから列電極Ｄに向けて電流が流れる列側陰極放電を第１リセット放電として生起させるようにしている。よって、かかる第１リセット放電時には、放電ガス内の陽イオンが列電極Ｄへ向かう際に、図５に示す如き蛍光体層１７内に含まれている二次電子放出材料としてのＭｇＯ結晶体に衝突して、このＭｇＯ結晶体から二次電子を放出させる。特に、図１に示されるプラズマディスプレイ装置のＰＤＰ５０では、ＭｇＯ結晶体を図５に示す如く放電空間に露出させることにより、陽イオンとの衝突の確率を高め、二次電子を効率よく放電空間に放出させるようにしている。こうすると、かかる二次電子によるプライミング作用により画素セルＰＣの放電開始電圧が低くなるので、比較的弱いリセット放電を生起させることが可能となる。よって、リセット放電の微弱化によりその放電に伴う発光輝度が低下するので、暗コントラストを向上させた表示が可能となる。
【００５１】
更に、図８に示される駆動では、図３に示す如き前面透明基板１０側に形成されている行電極Ｙ、及び背面基板１４側に形成されている列電極Ｄ間で第１リセット放電を生起させている。よって、共に前面透明基板１０側に形成されている行電極Ｘ及びＹ間でリセット放電を生起させる場合に比して、前面透明基板１０側から外部に放出される放電光が少なくなるので、更なる暗コントラストの向上を図ることができる。
【００５２】
図７及び図８に示される駆動では、先ず、先頭のサブフィールドＳＦ１において、全画素セルＰＣを消灯モード状態に初期化すべきリセット放電を生起させたた後、この消灯モード状態にある画素セルＰＣを点灯モード状態に遷移させるべき選択書込アドレス放電を生起させる。そして、ＳＦ１に後続するサブフィールドＳＦ２〜ＳＦ１４各々の内の１のサブフィールドにおいて、点灯モード状態にある画素セルＰＣを消灯モード状態に遷移させるべき選択消去アドレス放電を生起させるという選択消去アドレス法を採用した駆動を実施するようにしている。よって、かかる駆動によって黒表示（輝度レベル０）を行うと、１フィールド表示期間を通して生起される放電は、先頭サブフィールドＳＦ１でのリセット放電だけとなる。つまり、先頭のサブフィールドＳＦ１で全画素セルＰＣを点灯モード状態に初期化するリセット放電を生起させてから、これを消灯モード状態に遷移させるべき選択消去アドレス放電を生起させる駆動を実施する場合に比して、１フィールド表示期間を通して生起される放電回数が少なくなる。従って、図７及び図８に示す駆動によれば、暗い画像を表示する際のコントラスト、いわゆる暗コントラストを向上させることができる。
【００５３】
また、図８に示される駆動においては、輝度重みが最も小なるサブフィールドＳＦ１のサスティン行程Ｉでは、サスティン放電を１回だけ生起させるようにして、低輝度を表現する低階調時の表示再現性を高めている。更に、サブフィールドＳＦ１のサスティン行程Ｉでは、サスティン放電を生起させるべく印加されるサスティンパルスＩＰが１回だけである。よって、この１回分のサスティンパルスＩＰに応じて生起されたサスティン放電の終息後、行電極Ｙ近傍には負極性の壁電荷、列電極Ｄ近傍には正極性の壁電荷が夫々形成された状態となる。これにより、次のサブフィールドＳＦ２の選択消去アドレス行程ＷDでは、列電極Ｄ及び行電極Ｙ間において列電極Ｄを陽極側とした放電（以降、列側陽極放電と称する）を選択消去アドレス放電として生起させることが可能となる。一方、後続するサブフィールドＳＦ２〜ＳＦ１４各々のサスティン行程Ｉでは、サスティンパルスＩＰの印加回数を偶数としている。よって、各サスティン行程Ｉの終了直後は、行電極Ｙ近傍に負極性の壁電荷、列電極Ｄ近傍には正極性の壁電荷が形成された状態となるので、各サスティン行程Ｉに引き続き実施される選択消去アドレス行程ＷDでは、列側陽極放電が可能となる。従って、列電極Ｄに対しては正極性のパルスが印加されるだけとなり、アドレスドライバ５５の高コスト化を防げる。
【００５４】
図１に示されるＰＤＰ５０においては、各画素セルＰＣ内の前面透明基板１０側に形成されている酸化マグネシウム層１３内のみならず、背面基板１４側に形成されている蛍光体層１７内にも、二次電子放出材料としてのＣＬ発光ＭｇＯ結晶体を含ませるようにしている。
【００５５】
以下に、かかる構成を採用したことによる作用効果について図９及び図１０を参照しつつ説明する。
【００５６】
なお、図９は、上述した如き酸化マグネシウム層１３及び蛍光体層１７各々の内の酸化マグネシウム層１３のみにＣＬ発光ＭｇＯ結晶体を含ませた、いわゆる従来のＰＤＰに図８に示す如きリセットパルスＲＰY1を印加した際に生起される列側陰極放電における放電強度の推移を表す図である。
【００５７】
一方、図１０は、酸化マグネシウム層１３及び蛍光体層１７の双方にＣＬ発光ＭｇＯ結晶体を含ませた、本発明によるＰＤＰ５０に対して、リセットパルスＲＰY1を印加した際に生起される列側陰極放電における放電強度の推移を表す図である。
【００５８】
図９に示されるように、従来のＰＤＰによると、リセットパルスＲＰY1の印加に応じて比較的強い列側陰極放電が１［ｍｓ］以上に亘って継続してしまうが、本発明によるＰＤＰ５０によると、図１０に示す如く列側陰極放電が約０．０４［ｍｓ］以内に終息する。すなわち、従来のＰＤＰに比して列側陰極放電における放電遅れ時間を大幅に短縮できるのである。
【００５９】
従って、図８の如き、立ち上がり区間での電位推移が緩やかな波形を有するリセットパルスＲＰY1をＰＤＰ５０の行電極Ｙに印加することによって列側陰極放電を生起させると、リセットパルスＲＰY1の電位がピーク電位に到る前にその放電が終息する。よって、行電極及び列電極間に印加される電圧が低い段階で、列側陰極放電が終息することになるので、図１０に示す如く、その放電強度も図９の場合よりも大幅に低下する。
【００６０】
すなわち、上記の実施例においては、立ち上がり時の電位推移が緩やかな波形を有する例えば図８に示す如きリセットパルスＲＰY1を、酸化マグネシウム層１３のみならず蛍光体層１７にもＣＬ発光ＭｇＯ結晶体が含まれているＰＤＰ５０に印加することにより、放電強度が弱い列側陰極放電を生起させるようにしたのである。従って、このように放電強度が極めて弱い列側陰極放電をリセット放電として生起させることができるので、画像のコントラスト、特に暗い画像を表示する際の暗コントラストを高めることが可能となる。
【００６１】
なお、列側陰極放電としてのリセット放電を生起させるべく行電極Ｙに印加するリセットパルスＲＰY1における立ち上がり時の波形としては、図８に示されるが如き一定傾きのものに限定されるものではなく、例えば図１１に示す如き、時間経過に伴い徐々に傾きが変化するものであっても良い。
【００６２】
上記した実施例においては、サブフィールドＳＦ１に列電極Ｄに印加される画素データパルスＤＰのピーク電位Ｖ１、すなわち行電極Ｙと列電極Ｄとの間に印加される電圧Ｖ１がそれ以外のサブフィールドＳＦ２〜ＳＦ１４各々に印加される画素データパルスＤＰのピーク電位Ｖ２、すなわち行電極Ｙと列電極Ｄとの間に印加される電圧Ｖ２に比べて高くされ、これによりサブフィールドＳＦ１のアドレス放電を強くして書込を安定化させることが行われている。これは、蛍光体層１７の二次電子放出材料、特にＣＬ発光ＭｇＯ結晶体の作用により、プライミング粒子（荷電粒子）の放出作用を十分としてリセット放電の微弱化が可能となったことに対して、壁電荷の初期化という点で十分に作用しない可能性があることに対処するためである。
【００６３】
すなわち、本来であればサブフィールドＳＦ１のリセットパルスＲＰY2印加後は行電極Ｘ及び行電極Ｙの近傍では壁電荷は消去され、列電極Ｄ近傍には正の壁電荷が形成されなければならない。しかしながら、リセット放電自体は上記の如く微弱であるので、所望の壁電荷状態にならずに、リセット放電後も前フィールドの終了時の壁電荷状態に影響された状態で残留してしまう可能性がある。特に、列電極近傍の正の壁電荷の電荷量が必要量未満となってしまう可能性がる。そのような場合には、サブフィールドＳＦ１の書込放電が安定しない。サブフィールドＳＦ１の書込放電が安定しないと、サブフィールドＳＦ１のサスティン行程Ｉの放電が安定せず、放電すべきサスティン放電が放電しない可能性がある。サブフィールドＳＦ１でのサスティン放電が安定しないと、更に、サブフィールドＳＦ２以降の各サブフィールドでは大きな放電による初期化行程（リセット行程）が存在しない本実施例の１フィールドの構成上、サブフィールドＳＦ２〜ＳＦ１４各々のサスティン行程Ｉでも、前サブフィールドＳＦの壁電荷状態がそのまま影響し、放電すべきサスティン放電が放電しなくなってしまう。
【００６４】
各サブフィールドＳＦ１〜ＳＦ１４のアドレス放電を安定化させる方法として、全サブフィールドＳＦ１〜ＳＦ１４の画素データパルスＤＰの電圧値を高く設定する方法も考えられるが、その場合には、全てのアドレス放電が強くなるので、１のフィールドの前のフィールドのサブフィールドＳＦ２〜ＳＦ１４でのアドレス放電の影響が大きくなり、後続する該当１のフィールドのサブフィールドＳＦ１のリセット行程では、十分な初期化がされずに、結局サブフィールドＳＦ１の書込放電は安定しないこととなる。
【００６５】
そこで、本実施例においては、第１サブフィールドＳＦ１の画素データパルスＤＰのピーク電位Ｖ１をそれ以外のサブフィールドＳＦ２〜ＳＦ１４各々のピーク電位Ｖ２に比べて高電位とすることにより、サブフィールドＳＦ１おいてのみアドレス放電が強くされるので、書込を安定化させることができる。サブフィールドＳＦ２〜ＳＦ１４各々の画素データパルスＤＰのピーク電位Ｖ２はピーク電位Ｖ１より低電位であるので、全てのサブフィールドＳＦ１〜ＳＦ１４の画素データパルスＤＰの電圧を電位Ｖ１のように高電位にする場合に比べ、次フィールドのリセット行程にて壁電荷の状態が所望の状態に初期化されやすい。よって、サブフィールドＳＦ１のアドレス放電も安定することになる。
【００６６】
言い換えると、黒表示である最低輝度レベルを表示する場合、ＰＤＰはリセット放電による発光がその輝度レベルを最も支配するが、その最低輝度レベルが０．１cd/m2未満である場合の様なリセット放電が微小であるＰＤＰにおいて、本実施例の構成を用いることにより、上記の作用効果を発揮することができる。
【００６７】
上記した実施例においては、ＰＤＰ５０を図７に示す如き選択消去アドレス法を採用した発光駆動シーケンスに従って駆駆動するようにしているが、図１２に示す如き選択書込アドレス法を採用した発光駆動シーケンスに従って駆動するようにしても良い。
【００６８】
選択書込アドレス法を採用した場合には、駆動制御回路５６は、図１２に示す如きサブフィールドＳＦ１〜ＳＦ１４各々において、選択書込アドレス行程ＷW、サスティン行程Ｉ及び消去行程Ｅ各々に従った駆動を順次実施させるべき各種制御信号をパネルドライバに供給する。駆動制御回路５６は、先頭のサブフィールドＳＦ１に限り、選択書込アドレス行程ＷWに先立ち、リセット行程Ｒに従った駆動を順次実施させるべき各種制御信号をパネルドライバに供給する。
【００６９】
パネルドライバ、すなわち、Ｘ電極ドライバ５１、Ｙ電極ドライバ５３及びアドレスドライバ５５は、駆動制御回路５６から供給された各種制御信号に応じて、図１３に示す如き各種駆動パルスを生成してＰＤＰ５０の列電極Ｄ、行電極Ｘ及びＹに供給する。
【００７０】
図１３においては、図１２に示されるサブフィールドＳＦ１〜ＳＦ１４の内の、先頭のサブフィールドＳＦ１と、それに続くサブフィールドＳＦ２、並びに最後尾のサブフィールドＳＦ１４での動作のみを抜粋して示すものである。また、図１３において、サブフィールドＳＦ１のリセット行程Ｒ及び選択書込アドレス行程ＷW各々での動作は図８に示されるものと同一であるのでその詳細な説明は省略する。
【００７１】
サブフィールドＳＦ１のリセット行程Ｒの前半部では、Ｙ電極ドライバ５３が、サスティンパルスに比して時間経過に伴う前縁部での電位推移が緩やかな波形を有する正極性のリセットパルスＲＰY1を全ての行電極Ｙ1〜Ｙnに印加し、これにより全ての画素セルＰＣ各々内の行電極Ｙ及び列電極Ｄ間において第１リセット放電が生起される。Ｘ電極ドライバ５１は、リセットパルスＲＰY1と同一極性であり、且つ、上記リセットパルスＲＰY1の印加に伴う行電極Ｘ及びＹ間での面放電を防止し得るピーク電位を有するリセットパルスＲＰXを全ての行電極Ｘ1〜Ｘn各々に印加する。
【００７２】
サブフィールドＳＦ１のリセット行程Ｒの後半部では、Ｙ電極ドライバ５３が、時間経過に伴う前縁部での電位推移が緩やかな負極性のリセットパルスＲＰY2を全ての行電極Ｙ1〜Ｙnに印加し、Ｘ電極ドライバ５１は、正極性の所定のベース電位を有するベースパルスＢＰ+を全ての行電極Ｘ1〜Ｘn各々に印加し、これにより全ての画素セルＰＣ内の行電極Ｘ及びＹ間において第２リセット放電が生起される。
【００７３】
サブフィールドＳＦ１の選択書込アドレス行程ＷWにおいては、アドレスドライバ５５は、画素データパルスＤＰを１表示ライン分(ｍ個)ずつ、各書込走査パルスＳＰWの印加タイミングに同期して列電極Ｄ1〜Ｄmに印加して行く。この際、上記書込走査パルスＳＰWと同時に、点灯モードに設定させるべき高電圧Ｖ１の画素データパルスＤＰが印加された画素セルＰＣ内の列電極Ｄ及び行電極Ｙ間には選択書込アドレス放電が生起される。
【００７４】
次いで、先頭のサブフィールドＳＦ１のサスティン行程Ｉでは、Ｙ電極ドライバ５３が、正極性のピーク電位を有するサスティンパルスＩＰを１パルス分だけ発生しこれを行電極Ｙ1〜Ｙn各々に同時に印加する。この間、Ｘ電極ドライバ５１は、行電極Ｘ1〜Ｘnを接地電位（０ボルト）の状態に設定し、アドレスドライバ５５は、列電極Ｄ1〜Ｄmを接地電位（０ボルト）の状態に設定する。上記サスティンパルスＩＰの印加に応じて、点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、このサブフィールドＳＦ１の輝度重みに対応した１回分の表示発光が為される。また、かかるサスティンパルスＩＰの印加に応じて、点灯モードに設定されている画素セルＰＣ内の行電極Ｙ及び列電極Ｄ間においても放電が生起される。かかる放電並びに上記サスティン放電により、画素セルＰＣ内の行電極Ｙ近傍には負極性の壁電荷、行電極Ｘ及び列電極Ｄ各々の近傍には夫々正極性の壁電荷が形成される。
【００７５】
次に、サブフィールドＳＦ１の消去行程Ｅでは、Ｙ電極ドライバ５３は、リセット行程Ｒの後半部において印加したリセットパルスＲＰY2と同一波形を有する負極性の消去パルスＥＰを行電極Ｙ1〜Ｙnに印加する。この間、Ｘ電極ドライバ５１は、リセット行程Ｒの後半部と同様に、正極性の所定ベース電位を有するベースパルスＢＰ+を全ての行電極Ｘ1〜Ｘn各々に印加する。かかる消去パルスＥＰ及びベースパルスＢＰ+に応じて、上記の如きサスティン放電の生起された画素セルＰＣ内で微弱な消去放電が生起される。かかる消去放電により、画素セルＰＣ内に形成されていた壁電荷の一部が消去され、この画素セルＰＣは消灯モード状態に遷移する。更に、消去パルスＥＰの印加に応じて、画素セルＰＣ内の列電極Ｄ及び行電極Ｙ間でも微弱な放電が生起される。かかる放電により、列電極Ｄ近傍に形成されている正極性の壁電荷は、次の選択書込アドレス行程ＷWにおいて正しく選択書込アドレス放電を生起させ得る量に調整される。この消去行程Ｅの動作はサブフィールドＳＦ２〜ＳＦ１４各々においても同様である。
【００７６】
次に、サブフィールドＳＦ２〜ＳＦ１４各々の選択書込アドレス行程ＷWにおいては、サブフィールドＳＦ１と同様に、アドレスドライバ５５は、画素データパルスＤＰを１表示ライン分(ｍ個)ずつ、各書込走査パルスＳＰWの印加タイミングに同期して列電極Ｄ1〜Ｄmに印加して行く。この際、上記書込走査パルスＳＰWと同時に、点灯モードに設定させるべき高電圧Ｖ２（ただし、Ｖ１＞Ｖ２）の画素データパルスＤＰが印加された画素セルＰＣ内の列電極Ｄ及び行電極Ｙ間には選択書込アドレス放電が生起される。
【００７７】
次に、サブフィールドＳＦ２〜ＳＦ１４各々のサスティン行程Ｉでは、Ｘ電極ドライバ５１及びＹ電極ドライバ５３が、図１３に示す如く、行電極Ｙ及びＸ交互に、そのサブフィールドの輝度重みに対応した回数分だけ繰り返し、正極性のピーク電位を有するサスティンパルスＩＰを行電極Ｙ1〜Ｙn及びＸ1〜Ｘnに印加する。かかるサスティンパルスＩＰが印加される度に、点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、そのサブフィールドＳＦの輝度重みに対応した回数分の表示発光が為される。なお、各サスティン行程Ｉ内において印加されるサスティンパルスＩＰの総数は奇数である。すなわち、各サスティン行程Ｉ内において、先頭のサスティンパルスＩＰ及び最終のサスティンパルスＩＰは共に、行電極Ｙに印加されることになる。よって、各サスティン行程Ｉの終了直後、サスティン放電の生起された画素セルＰＣ内の行電極Ｙ近傍には負極性の壁電荷、行電極Ｘ及び列電極Ｄ各々の近傍には夫々正極性の壁電荷が形成される。これにより、各画素セルＰＣ内の壁電荷形成状態は、リセット行程Ｒでの第１リセット放電終了直後と同一となる。従って、その直後に実施される消去行程Ｅにおいて、リセット行程Ｒの後半部において印加されるリセットパルスＲＰY2と同一波形を有する消去パルスＥＰを行電極Ｙに印加することにより、全ての画素セルＰＣの状態を消灯モードの状態に遷移させることができるのである。
【００７８】
ここで、図１２及び図１３にされる駆動を実施するにあたり、先頭から連続したサブフィールド各々の選択書込アドレス行程ＷWにて選択書込アドレス放電を生起させるようにすれば、（Ｎ＋１）階調分（Ｎ：１フィールド表示期間内のサブフィールド数）の中間輝度表示が可能となる。すなわち、１４個のサブフィールドＳＦ１〜ＳＦ１４によれば、図６と同様に、表現すべき階調に対応した数だけ先頭のサブフィールドＳＦ１から連続したサブフィールド各々においてサスティン放電が為されるので、偽輪郭を防止しつつ１５階調分の中間輝度表示が可能となる。
【００７９】
また、図１２及び図１３にされる駆動を実施するにあたり、１フィールド表示期間内の全サブフィールドの内で、選択書込アドレス放電を生起させるサブフィールドの組み合わせ方により、２N階調分（Ｎ：１フィールド表示期間内のサブフィールド数）の中間輝度を表現することができる。すなわち、１４個のサブフィールドＳＦ１〜ＳＦ１４において、選択書込アドレス放電を生起させるサブフィールドの組み合わせパターンは、２14通り存在するので１６３８４階調分の中間輝度表示が可能となる。
【００８０】
この際、図１２及び図１３に示される駆動によれば、図１３に示す如く、リセット行程Ｒにおいて行電極Ｙに印加されるリセットパルスＲＰY2と、消去行程Ｅにおいて行電極Ｙに印加される消去パルスＥＰとが同一波形であるので、両者を共通の回路で生成することが可能となる。更に、サブフィールドＳＦ１〜ＳＦ１４各々では一貫して選択書込アドレス行程ＷWが実施されるので、走査パルスを生成する回路は１系統だけで済み、且つ各選択書込アドレス行程ＷWでは、列電極側を陽極とした一般的な列側陽極放電を生起させるものであれば良い。
【００８１】
よって、ＰＤＰ５０を駆動するにあたり、図１２及び図１３に示されるが如き選択書込アドレス法に基づく駆動を採用した場合には、図７及び図８に示されるが如き選択消去アドレス法に基づく駆動を採用した場合に比して、各種駆動パルスを生成する為のパネルドライバを安価に構築することが可能となる。
【００８２】
また、図１２及び図１３に示された実施例においても、図７及び図８の選択消去アドレス法に基づく駆動を採用した場合と同様に、サブフィールドＳＦ１に列電極Ｄに印加される画素データパルスＤＰのピーク電位Ｖ１、すなわち行電極Ｙと列電極Ｄとの間に印加される電圧Ｖ１がそれ以外のサブフィールドＳＦ２〜ＳＦ１４各々に印加される画素データパルスＤＰのピーク電位Ｖ２、すなわち行電極Ｙと列電極Ｄとの間に印加される電圧Ｖ２に比べて高くされ、これによりサブフィールドＳＦ１のアドレス放電を強くして書込を安定化させることが行われている。
【００８３】
図１３の構成において、画素セルＰＣを点灯モードに設定させるべき論理レベル１に対応して、第１サブフィールドＳＦ１の画素データパルスＤＰのピーク電位をＶ１とし、他のサブフィールドＳＦ２〜ＳＦ１４各々の画素データパルスＤＰのピーク電位をＶ２とし、Ｖ１＞Ｖ２としているが、その論理レベル１に対応する全てのサブフィールドＳＦ１〜ＳＦ１４各々の画素データパルスＤＰのピーク電位を同電位とし、サブフィールドＳＦ１の書込走査パルスＳＰWの電位を、他のサブフィールドＳＦ２〜ＳＦ１４各々の書込走査パルスＳＰWの電位に比べて負極性側へ低い電位としても良い。すなわち、選択書込アドレス行程ＷWにおいて行電極Ｙと列電極Ｄとの間の電位差を、第１サブフィールドＳＦ１ではサブフィールドＳＦ２〜ＳＦ１４に比べて大とすることにより、書込放電を大きくするようにすれば良い。また、画素データパルスＤＰのピーク電位はＶ１＞Ｖ２の関係であれば、壁電荷に影響を与えるような過放電を防止するために常に一定でなくても良い。
【００８４】
また、図８及び図１３に示されるリセット行程Ｒでは、全ての画素セルに対して一斉にリセット放電を生起させるようにしているが、夫々が複数の画素セルからなる画素セルブロック毎に、リセット放電を時間的に分散させて実施するようにしても良い。
【００８５】
図１４は、ＰＤＰ５０の駆動のために選択消去アドレス法を採用した別の発光駆動シーケンスを示している。駆動制御回路５６は、図１４に示す如き発光駆動シーケンスに従って図１に示された構成のＰＤＰ５０を駆動させるべき各種制御信号を、Ｘ電極ドライバ５１、Ｙ電極ドライバ５３及びアドレスドライバ５５からなるパネルドライバに供給する。すなわち、駆動制御回路５６は、図１４に示す如き１フィールド（１フレーム）表示期間内の先頭のサブフィールドＳＦ１では、第１リセット行程Ｒ１、第１選択書込アドレス行程Ｗ１W及び微小発光行程ＬＬ各々に従った駆動を順次実施させるべき各種制御信号をパネルドライバに供給する。かかるサブフィールドＳＦ１に後続するＳＦ２では、第２リセット行程Ｒ２、第２選択書込アドレス行程Ｗ２W及びサスティン行程Ｉ各々に従った駆動を順次実施させるべき各種制御信号をパネルドライバに供給する。サブフィールドＳＦ３〜ＳＦ１４各々では、選択消去アドレス行程ＷD及びサスティン行程Ｉ各々に従った駆動を順次実施させるべき各種制御信号をパネルドライバに供給する。なお、１フィールド表示期間内の最後尾のサブフィールドＳＦ１４に限り、サスティン行程Ｉの実行後、駆動制御回路５６は、消去行程Ｅに従った駆動を順次実施させるべき各種制御信号をパネルドライバに供給する。
【００８６】
また、駆動制御回路５６は、上記したディザ処理で得られたディザ加算画素データの上位４ビット分を、図１５に示す如き、全輝度レベルを１６階調にて表す４ビットの多階調化画素データＰＤSに変換する。そして、駆動制御回路５６は、多階調化画素データＰＤSを図１５に示す如きデータ変換テーブルに従って１４ビットの画素駆動データＧＤに変換し、その画素駆動データＧＤにおける第１〜第１４ビットをサブフィールドＳＦ１〜ＳＦ１４の各々に対応させ、そのサブフィールドＳＦに対応したビット桁を画素駆動データビットとして１表示ライン分（ｍ個）ずつアドレスドライバ５５に供給する。
【００８７】
パネルドライバ、すなわち、Ｘ電極ドライバ５１、Ｙ電極ドライバ５３及びアドレスドライバ５５は、駆動制御回路５６から供給された各種制御信号に応じて、図１６に示す如き各種駆動パルスを生成してＰＤＰ５０の列電極Ｄ、行電極Ｘ及びＹに供給する。
【００８８】
図１６においては、図１４に示されるサブフィールドＳＦ１〜ＳＦ１４の内のＳＦ１〜ＳＦ３、並びに最後尾のサブフィールドＳＦ１４での動作のみを抜粋して示すものである。また、図１６において、図８に示された如き選択消去アドレス法を採用した場合に生成される各種駆動パルスと同一パルスについては同一符号が用いられている。
【００８９】
先ず、サブフィールドＳＦ１の第１リセット行程Ｒ１の前半部では、Ｙ電極ドライバ５３が、サスティン行程Ｉにて生成するサスティンパルスに比して時間経過に伴う前縁部での電位推移が緩やかな波形を有する正極性のリセットパルスＲＰ１Y1を全ての行電極Ｙ1〜Ｙnに印加する。この間、Ｘ電極ドライバ５１は、かかるリセットパルスＲＰ１Y1と同一極性であり、且つ、リセットパルスＲＰ１Y1の印加に伴う行電極Ｘ及びＹ間での面放電を防止し得るピーク電位を有するリセットパルスＲＰ１Xを全ての行電極Ｘ1〜Ｘn各々に印加する。この間、行電極Ｘ及びＹ間で面放電が生じないのであれば、Ｘ電極ドライバ５１は、リセットパルスＲＰ１Xを印加する代わりに、全ての行電極Ｘ1〜Ｘnを接地電位（０ボルト）に設定するようにしても良い。ここで、第１リセット行程Ｒ１の前半部では、上述した如きリセットパルスＲＰ１Y1の印加に応じて、全ての画素セルＰＣ各々内の行電極Ｙ及び列電極Ｄ間において微弱な第１リセット放電が生起される。すなわち、第１リセット行程Ｒ１の前半部では、行電極Ｙが陽極側、列電極Ｄが陰極側となるように両電極間に電圧を印加することにより、行電極Ｙから列電極Ｄに向けて電流が流れる列側陰極放電を第１リセット放電として生起させる。その第１リセット放電に応じて、全ての画素セルＰＣ内の行電極Ｙ近傍には負極性の壁電荷、列電極Ｄ近傍には正極性の壁電荷が形成される。
【００９０】
次に、サブフィールドＳＦ１の第１リセット行程Ｒ１の後半部では、Ｙ電極ドライバ５３が、時間経過に伴う前縁部での電位推移が緩やかな負極性のリセットパルスＲＰ１Y2を発生し、これを全ての行電極Ｙ1〜Ｙnに印加する。この間、Ｘ電極ドライバ５１は、全ての行電極Ｘ1〜Ｘnを接地電位（０ボルト）に設定する。第１リセット行程Ｒ１の後半部では、上述した如きリセットパルスＲＰ１Y2の印加に応じて、全ての画素セルＰＣ内の行電極Ｘ及びＹ間において第２リセット放電が生起される。第２リセット放電により、各画素セルＰＣ内の行電極Ｘ及びＹ各々の近傍に形成されていた壁電荷が消去され、全ての画素セルＰＣが消灯モードに初期化される。更に、上記リセットパルスＲＰ１Y2の印加に応じて、全ての画素セルＰＣ内の行電極Ｙ及び列電極Ｄ間においても微弱な放電が生起される。この微弱な放電により、列電極Ｄ近傍に形成されていた正極性の壁電荷の一部が消去され、後述する第１選択書込アドレス行程Ｗ１Wにおいて正しく選択書込アドレス放電を生起させ得る量に調整される。
【００９１】
次に、サブフィールドＳＦ１の第１選択書込アドレス行程Ｗ１Wでは、Ｙ電極ドライバ５３が、図１６に示す如き負極性の所定ベース電位を有するベースパルスＢＰ-を行電極Ｙ1〜Ｙnに同時に印加しつつ、負極性のピーク電位を有する書込走査パルスＳＰWを行電極Ｙ1〜Ｙn各々に順次択一的に印加して行く。この間、アドレスドライバ５５は、先ず、サブフィールドＳＦ１に対応した画素駆動データビットをその論理レベルに応じたパルス電圧を有する画素データパルスＤＰに変換する。例えば、アドレスドライバ５５は、画素セルＰＣを点灯モードに設定させるべき論理レベル１の画素駆動データビットが供給された場合にはこれを正極性のピーク電位Ｖ２を有する画素データパルスＤＰに変換する。一方、画素セルＰＣを消灯モードに設定させるべき論理レベル０の画素駆動データビットに対してはこれを低電圧(０ボルト)の画素データパルスＤＰに変換する。そして、アドレスドライバ５５は、かかる画素データパルスＤＰを１表示ライン分(ｍ個)ずつ、各書込走査パルスＳＰWの印加タイミングに同期して列電極Ｄ1〜Ｄmに印加して行く。この際、上記書込走査パルスＳＰWと同時に、点灯モードに設定させるべき高電圧の画素データパルスＤＰが印加された画素セルＰＣ内の列電極Ｄ及び行電極Ｙ間に選択書込アドレス放電が生起される。この間、行電極Ｘ及びＹ間にも書込走査パルスＳＰWに応じた電圧が印加されることになるが、この段階では全ての画素セルＰＣは消灯モード、つまり壁電荷が消去された状態にあるので、かかる書込走査パルスＳＰWの印加だけでは行電極Ｘ及びＹ間には放電が生じない。
【００９２】
従って、サブフィールドＳＦ１の第１選択書込アドレス行程Ｗ１Wでは、書込走査パルスＳＰW及び高電圧の画素データパルスＤＰの印加に応じて、画素セルＰＣ内の列電極Ｄ及び行電極Ｙ間のみに選択書込アドレス放電が生起される。これにより、画素セルＰＣ内の行電極Ｘ近傍には壁電荷が存在していないものの、行電極Ｙ近傍には正極性の壁電荷、列電極Ｄ近傍には負極性の壁電荷が夫々形成された点灯モードの状態に設定される。一方、上記書込走査パルスＳＰWと同時に、消灯モードに設定させるべき低電圧（０ボルト）の画素データパルスＤＰが印加された画素セルＰＣ内の列電極Ｄ及び行電極Ｙ間には上述した如き選択書込アドレス放電は生起されない。よって、この画素セルＰＣは、第１リセット行程Ｒ１において初期化された消灯モードの状態、つまり、行電極Ｙ及び列電極Ｄ間、並びに行電極Ｘ及びＹ間のいずれにおいても放電が生じない状態を維持する。
【００９３】
次に、サブフィールドＳＦ１の微小発光行程ＬＬでは、Ｙ電極ドライバ５３が、図１６に示す如き正極性の所定のピーク電位を有する微小発光パルスＬＰを行電極Ｙ1〜Ｙnに同時に印加する。かかる微小発光パルスＬＰの印加に応じて、点灯モードに設定されている画素セルＰＣ内の列電極Ｄ及び行電極Ｙ間において放電（以下、微小発光放電と称する）が生起される。つまり、微小発光行程ＬＬでは、画素セルＰＣ内の行電極Ｙ及び列電極Ｄ間では放電が生起されるものの、行電極Ｘ及びＹ間には放電が生起させることのない電位を行電極Ｙに印加することにより、点灯モードに設定されている画素セルＰＣ内の列電極Ｄ及び行電極Ｙ間のみで微小発光放電を生起させるのである。この際、微小発光パルスＬＰのピーク電位は、後述するサブフィールドＳＦ２以降のサスティン行程Ｉにて印加するサスティンパルスＩＰのピーク電位よりも低い電位であり、例えば、後述する選択消去アドレス行程ＷDにおいて行電極Ｙに印加されるベース電位と同一である。
【００９４】
また、図１６に示す如く、微小発光パルスＬＰにおける電位の立ち上がり区間での時間経過に伴う変化率は、リセットパルス（ＲＰ１Y1，ＲＰ２Y1）における立ち上がり区間での変化率よりも高くしている。微小発光パルスＬＰの前縁部における電位推移をリセットパルスの前縁部における電位推移よりも急峻にすることにより、第１リセット行程Ｒ１及び第２リセット行程Ｒ２で生起される第１リセット放電よりも強い放電を生起させるのである。ここで、かかる放電は、前述した如き列側陰極放電であり且つ、サスティンパルスＩＰよりもそのパルス電圧が低い微小発光パルスＬＰによって生起された放電であるため、サスティン行程Ｉにて行電極Ｘ及びＹ間で生起されるサスティン放電よりもその放電に伴う発光輝度が低い。すなわち、微小発光行程ＬＬでは、第１リセット放電よりも高い輝度レベルの発光を伴う放電であるものの、サスティン放電よりもその放電に伴う輝度レベルが低い放電、つまり表示用に利用できる程度の微小な発光を伴う放電を微小発光放電として生起させるのである。この際、微小発光行程ＬＬの直前において実施される第１選択書込アドレス行程Ｗ１Wでは、画素セルＰＣ内の列電極Ｄ及び行電極Ｙ間で選択書込アドレス放電が生起される。よって、サブフィールドＳＦ１では、選択書込アドレス放電に伴う発光と上記微小発光放電に伴う発光とによって、輝度レベル０よりも１段階だけ高輝度な階調に対応した輝度が表現されるのである。
【００９５】
その微小発光放電後、行電極Ｙ近傍には負極性の壁電荷、列電極Ｄ近傍には正極性の壁電荷が各々形成される。
【００９６】
次に、サブフィールドＳＦ２の第２リセット行程Ｒ２の前半部では、Ｙ電極ドライバ５３が、サスティンパルスに比して時間経過に伴う前縁部での電位推移が緩やかな波形を有する正極性のリセットパルスＲＰ２Y1を全ての行電極Ｙ1〜Ｙnに印加する。リセットパルスＲＰ２Y1のピーク電位は、上記リセットパルスＲＰ１Y1のピーク電位よりも高い。この間、アドレスドライバ５５は、列電極Ｄ1〜Ｄmを接地電位（０ボルト）の状態に設定し、Ｘ電極ドライバ５１は、リセットパルスＲＰ２Y1の印加に伴う行電極Ｘ及びＹ間での面放電を防止し得るピーク電位を有する正極性のリセットパルスＲＰ２Xを全ての行電極Ｘ1〜Ｘn各々に印加する。行電極Ｘ及びＹ間で面放電が生じないのであれば、Ｘ電極ドライバ５１は、リセットパルスＲＰ２Xを印加する代わりに、全ての行電極Ｘ1〜Ｘnを接地電位（０ボルト）に設定するようにしても良い。リセットパルスＲＰ２Y1の印加に応じて、画素セルＰＣ各々の内で微小発光行程ＬＬにて列側陰極放電が生起されなかった画素セルＰＣ内の行電極Ｙ及び列電極Ｄ間において、微小発光行程ＬＬでの列側陰極放電よりも弱い第１リセット放電が生起される。すなわち、第２リセット行程Ｒ２の前半部では、行電極Ｙが陽極側、列電極Ｄが陰極側となるように両電極間に電圧を印加することにより、行電極Ｙから列電極Ｄに向けて電流が流れる列側陰極放電を第１リセット放電として生起させるのである。一方、上記微小発光行程ＬＬにおいて既に微小発光放電が生起された画素セルＰＣ内では、上記リセットパルスＲＰ２Y1の印加が為されても放電は生起されない。従って、第２リセット行程Ｒ２の前半部の終了直後、全ての画素セルＰＣ内の行電極Ｙ近傍には負極性の壁電荷、列電極Ｄ近傍には正極性の壁電荷が形成された状態となる。
【００９７】
次に、サブフィールドＳＦ２の第２リセット行程Ｒ２の後半部では、Ｙ電極ドライバ５３が、時間経過に伴う前縁部での電位推移が緩やかな負極性のリセットパルスＲＰ２Y2を行電極Ｙ1〜Ｙnに印加する。更に、第２リセット行程Ｒ２の後半部では、Ｘ電極ドライバ５１が、正極性の所定のベース電位を有するベースパルスＢＰ+を行電極Ｘ1〜Ｘn各々に印加する。これら負極性のリセットパルスＲＰ２Y2及び正極性のベースパルスＢＰ+の印加に応じて、全ての画素セルＰＣ内の行電極Ｘ及びＹ間において第２リセット放電が生起される。リセットパルスＲＰ２Y2及びベースパルスＢＰ+各々のピーク電位は、第１リセット放電によって行電極Ｘ及びＹ各々の近傍に形成された壁電荷を考慮した上で、行電極Ｘ及びＹ間において確実に第２リセット放電を生起させることができる最低の電位である。リセットパルスＲＰ２Y2における負のピーク電位は、負極性の書込走査パルスＳＰWのピーク電位よりも高い電位、つまり０ボルトに近い電位に設定されている。すなわち、リセットパルスＲＰ２Y2のピーク電位を書込走査パルスＳＰWのピーク電位よりも低くしてしまうと、行電極Ｙ及び列電極Ｄ間において強い放電が生起され、列電極Ｄ近傍に形成されていた壁電荷が大幅に消去されてしまい、第２選択書込アドレス行程Ｗ２Wでのアドレス放電が不安定となるからである。ここで、第２リセット行程Ｒ２の後半部において生起された第２リセット放電により、各画素セルＰＣ内の行電極Ｘ及びＹ各々の近傍に形成されていた壁電荷が消去され、全ての画素セルＰＣが消灯モードに初期化される。更に、リセットパルスＲＰ２Y2の印加に応じて、全ての画素セルＰＣ内の行電極Ｙ及び列電極Ｄ間においても微弱な放電が生起され、かかる放電により、列電極Ｄ近傍に形成されていた正極性の壁電荷の一部が消去され、第２選択書込アドレス行程Ｗ２Wにおいて正しく選択書込アドレス放電を生起させ得る量に調整される。
【００９８】
次に、サブフィールドＳＦ２の第２選択書込アドレス行程Ｗ２Wでは、Ｙ電極ドライバ５３が、図１６に示す如き負極性の所定ベース電位を有するベースパルスＢＰ-を行電極Ｙ1〜Ｙnに同時に印加しつつ、負極性のピーク電位を有する書込走査パルスＳＰWを行電極Ｙ1〜Ｙn各々に順次択一的に印加して行く。Ｘ電極ドライバ５１は、第２リセット行程Ｒ２の後半部で行電極Ｘ1〜Ｘnに印加したベースパルスＢＰ+をこの第２選択書込アドレス行程Ｗ２Wにおいても引き続き行電極Ｘ1〜Ｘn各々に印加する。ベースパルスＢＰ-及びベースパルスＢＰ+各々の電位は、書込走査パルスＳＰWの非印加期間中における行電極Ｘ及びＹ間の電圧が画素セルＰＣの放電開始電圧よりも低くなるような電位に設定されている。更に、第２選択書込アドレス行程Ｗ２Wでは、アドレスドライバ５５が、先ず、サブフィールドＳＦ２に対応した画素駆動データビットをその論理レベルに応じたパルス電圧を有する画素データパルスＤＰに変換する。例えば、アドレスドライバ５５は、画素セルＰＣを点灯モードに設定させるべき論理レベル１の画素駆動データビットが供給された場合にはこれを正極性のピーク電位Ｖ１（ただし、Ｖ１＞Ｖ２）を有する画素データパルスＤＰに変換する。一方、画素セルＰＣを消灯モードに設定させるべき論理レベル０の画素駆動データビットに対してはこれを低電圧(０ボルト)の画素データパルスＤＰに変換する。そして、アドレスドライバ５５は、かかる画素データパルスＤＰを１表示ライン分(ｍ個)ずつ、各書込走査パルスＳＰWの印加タイミングに同期して列電極Ｄ1〜Ｄmに印加して行く。この際、書込走査パルスＳＰWと同時に、点灯モードに設定させるべき高電圧の画素データパルスＤＰが印加された画素セルＰＣ内の列電極Ｄ及び行電極Ｙ間には選択書込アドレス放電が生起される。更に、かかる選択書込アドレス放電の直後、この画素セルＰＣ内の行電極Ｘ及びＹ間にも微弱な放電が生起される。つまり、書込走査パルスＳＰWが印加された後、行電極Ｘ及びＹ間にはベースパルスＢＰ-及びベースパルスＢＰ+に応じた電圧が印加されるが、この電圧は各画素セルＰＣの放電開始電圧よりも低い電圧に設定されている為、かかる電圧の印加だけでは画素セルＰＣ内で放電が生起されることはない。ところが、上記選択書込アドレス放電が生起されると、この選択書込アドレス放電に誘発されて、ベースパルスＢＰ-及びベースパルスＢＰ+に基づく電圧印加だけで行電極Ｘ及びＹ間に放電が生起されるのである。このような放電は、ベースパルスＢＰ+が行電極Ｘに印加されない第１選択書込アドレス行程Ｗ１Wでは生起されない。かかる放電並びに選択書込アドレス放電により、この画素セルＰＣは、その行電極Ｙ近傍に正極性の壁電荷、行電極Ｘ近傍に負極性の壁電荷、列電極Ｄ近傍に負極性の壁電荷が夫々形成された状態、すなわち、点灯モードに設定される。一方、上記書込走査パルスＳＰWと同時に、消灯モードに設定させるべき低電圧（０ボルト）の画素データパルスＤＰが印加された画素セルＰＣ内の列電極Ｄ及び行電極Ｙ間には上述した如き選択書込アドレス放電は生起されず、それ故に行電極Ｘ及びＹ間でも放電が生じることはない。よって、この画素セルＰＣは、その直前までの状態、すなわち、第２リセット行程Ｒ２において初期化された消灯モードの状態を維持する。
【００９９】
次に、サブフィールドＳＦ２のサスティン行程Ｉでは、Ｙ電極ドライバ５３が、正極性のピーク電位を有するサスティンパルスＩＰを１パルス分だけ発生しこれを行電極Ｙ1〜Ｙn各々に同時に印加する。この間、Ｘ電極ドライバ５１は、行電極Ｘ1〜Ｘnを接地電位（０ボルト）の状態に設定し、アドレスドライバ５５は、列電極Ｄ1〜Ｄmを接地電位（０ボルト）の状態に設定する。上記サスティンパルスＩＰの印加に応じて、上述した如き点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、このサブフィールドＳＦ２の輝度重みに対応した１回分の表示発光が為される。また、かかるサスティンパルスＩＰの印加に応じて、点灯モードに設定されている画素セルＰＣ内の行電極Ｙ及び列電極Ｄ間においても放電が生起される。かかる放電並びに上記サスティン放電により、画素セルＰＣ内の行電極Ｙ近傍には負極性の壁電荷、行電極Ｘ及び列電極Ｄ各々の近傍には夫々正極性の壁電荷が形成される。そして、かかるサスティンパルスＩＰの印加後、Ｙ電極ドライバ５３は、図１６に示す如く時間経過に伴う前縁部での電位推移が緩やかな負極性のピーク電位を有する壁電荷調整パルスＣＰを行電極Ｙ1〜Ｙnに印加する。かかる壁電荷調整パルスＣＰの印加に応じて、上記の如きサスティン放電の生起された画素セルＰＣ内で微弱な消去放電が生起され、その内部に形成されていた壁電荷の一部が消去される。これにより、画素セルＰＣ内の壁電荷の量が、次の選択消去アドレス行程ＷDにおいて正しく選択消去アドレス放電を生起させ得る量に調整される。
【０１００】
次に、サブフィールドＳＦ３〜ＳＦ１４各々の選択消去アドレス行程ＷOでは、Ｙ電極ドライバ５３が、正極性の所定ベース電位を有するベースパルスＢＰ+を行電極Ｙ1〜Ｙn各々に印加しつつ、図１６に示す如き負極性のピーク電位を有する消去走査パルスＳＰDを行電極Ｙ1〜Ｙn各々に順次択一的に印加して行く。ベースパルスＢＰ+のピーク電位は、この選択消去アドレス行程ＷOの実行期間中に亘り、行電極Ｘ及びＹ間での誤った放電を防止し得る電位に設定されている。また、選択消去アドレス行程ＷOの実行期間中に亘り、Ｘ電極ドライバ５１は、行電極Ｘ1〜Ｘn各々を接地電位（０ボルト）に設定する。この選択消去アドレス行程ＷDにおいて、アドレスドライバ５５は、先ず、そのサブフィールドＳＦに対応した画素駆動データビットをその論理レベルに応じたパルス電圧を有する画素データパルスＤＰに変換する。例えば、アドレスドライバ５５は、画素セルＰＣを点灯モードから消灯モードに遷移させるべき論理レベル１の画素駆動データビットが供給された場合にはこれを正極性のピーク電位Ｖ２を有する画素データパルスＤＰに変換する。
【０１０１】
一方、画素セルＰＣの現状態を維持させるべき論理レベル０の画素駆動データビットが供給された場合にはこれを低電圧(０ボルト)の画素データパルスＤＰに変換する。そして、アドレスドライバ５５は、かかる画素データパルスＤＰを１表示ライン分(ｍ個)ずつ、各消去走査パルスＳＰDの印加タイミングに同期して列電極Ｄ1〜Ｄmに印加して行く。この際、上記消去走査パルスＳＰDと同時に、高電圧の画素データパルスＤＰが印加された画素セルＰＣ内の列電極Ｄ及び行電極Ｙ間に選択消去アドレス放電が生起される。かかる選択消去アドレス放電により、この画素セルＰＣは、その行電極Ｙ及びＸ各々の近傍に正極性の壁電荷、列電極Ｄ近傍に負極性の壁電荷が夫々形成された状態、すなわち、消灯モードに設定される。一方、上記消去走査パルスＳＰDと同時に、低電圧（０ボルト）の画素データパルスＤＰが印加された画素セルＰＣ内の列電極Ｄ及び行電極Ｙ間には上述した如き選択消去アドレス放電は生起されない。よって、この画素セルＰＣは、その直前までの状態（点灯モード、消灯モード）を維持する。
【０１０２】
次に、サブフィールドＳＦ３〜ＳＦ１４各々のサスティン行程Ｉでは、Ｘ電極ドライバ５１及びＹ電極ドライバ５３が、図１６に示す如く、行電極Ｘ及びＹ交互に、そのサブフィールドの輝度重みに対応した回数（偶数回数）分だけ繰り返し、正極性のピーク電位を有するサスティンパルスＩＰを行電極Ｘ1〜Ｘn及びＹ1〜Ｙn各々に印加する。かかるサスティンパルスＩＰが印加される度に、点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、そのサブフィールドＳＦの輝度重みに対応した回数分の表示発光が為される。この際、サブフィールドＳＦ２〜ＳＦ１４各々のサスティン行程Ｉにおいて最終に印加されるサスティンパルスＩＰに応じてサスティン放電が生起された画素セルＰＣ内の行電極Ｙ近傍には負極性の壁電荷、行電極Ｘ及び列電極Ｄ各々の近傍には正極性の壁電荷が形成される。そして、かかる最終サスティンパルスＩＰの印加後、Ｙ電極ドライバ５３は、図１６に示す如く時間経過に伴う前縁部での電位推移が緩やかな負極性のピーク電位を有する壁電荷調整パルスＣＰを行電極Ｙ1〜Ｙnに印加する。かかる壁電荷調整パルスＣＰの印加に応じて、上記の如きサスティン放電の生起された画素セルＰＣ内で微弱な消去放電が生起され、その内部に形成されていた壁電荷の一部が消去される。これにより、画素セルＰＣ内の壁電荷の量が、次の選択消去アドレス行程ＷDにおいて正しく選択消去アドレス放電を生起させ得る量に調整される。
【０１０３】
そして、最終のサブフィールドＳＦ１４のサスティン行程Ｉの終了後、Ｙ電極ドライバ５３は、負極性のピーク電位を有する消去パルスＥＰを全ての行電極Ｙ1〜Ｙnに印加する。かかる消去パルスＥＰの印加に応じて、点灯モード状態にある画素セルＰＣのみに消去放電が生起される。かかる消去放電によって点灯モード状態にあった画素セルＰＣは消灯モードの状態に遷移する。
【０１０４】
以上の如き駆動を、図１５に示す如き１６通りの画素駆動データＧＤに基づいて実行する。
【０１０５】
先ず、黒表示（輝度レベル０）を表現する第１階調よりも１段階だけ高輝度を表す第２階調では、図１５に示す如く、サブフィールドＳＦ１〜ＳＦ１４の内のＳＦ１のみで画素セルＰＣを点灯モードに設定させる為の選択書込アドレス放電を生起させ、この点灯モードに設定された画素セルＰＣを微小発光放電させる（□にて示す）。この際、これら選択書込アドレス放電及び微小発光放電に伴う発光時の輝度レベルは、１回分のサスティン放電に伴う発光時の輝度レベルよりも低い。よって、サスティン放電によって視覚される輝度レベルを「１」とした場合、第２階調では、輝度レベル「１」よりも低い輝度レベル「α」に対応した輝度が表現される。
【０１０６】
次に、かかる第２階調よりも１段階だけ高輝度を表す第３階調では、サブフィールドＳＦ１〜ＳＦ１４の内のＳＦ２のみで画素セルＰＣを点灯モードに設定させる為の選択書込アドレス放電を生起させ（二重丸にて示す）、次のサブフィールドＳＦ３で画素セルＰＣを消灯モードに遷移させる為の選択消去アドレス放電を生起させる（黒丸にて示す）。よって、第３階調では、サブフィールドＳＦ１〜ＳＦ１４の内のＳＦ２のサスティン行程Ｉのみで１回分のサスティン放電に伴う発光が為され、輝度レベル「１」に対応した輝度が表現される。
【０１０７】
次に、かかる第３階調よりも１段階だけ高輝度を表す第４階調では、先ず、サブフィールドＳＦ１において、画素セルＰＣを点灯モードに設定させる為の選択書込アドレス放電を生起させ、この点灯モードに設定された画素セルＰＣを微小発光放電させる（□にて示す）。更に、かかる第４階調では、サブフィールドＳＦ１〜ＳＦ１４の内のＳＦ２のみで画素セルＰＣを点灯モードに設定させる為の選択書込アドレス放電を生起させ（二重丸にて示す）、次のサブフィールドＳＦ３で画素セルＰＣを消灯モードに遷移させる為の選択消去アドレス放電を生起させる（黒丸にて示す）。よって、第４階調では、サブフィールドＳＦ１にて輝度レベル「α」の発光が為され、ＳＦ２にて輝度レベル「１」の発光を伴うサスティン放電が１回分だけ実施されるので、輝度レベル「α」＋「１」に対応した輝度が表現される。
【０１０８】
第５階調〜第１６階調各々では、サブフィールドＳＦ１において画素セルＰＣを点灯モードに設定させる選択書込アドレス放電を生起させ、この点灯モードに設定された画素セルＰＣを微小発光放電させる（□にて示す）。そして、その階調に対応した１のサブフィールドのみで画素セルＰＣを消灯モードに遷移させる為の選択消去アドレス放電を生起させる（黒丸にて示す）。よって、第５階調〜第１６階調各々では、サブフィールドＳＦ１にて上記微小発光放電が生起され、ＳＦ２にて１回分のサスティン放電を生起された後、その階調に対応した数だけ連続したサブフィールド各々（白丸にて示す）でそのサブフィールドに割り当てられている回数分だけサスティン放電が生起される。これにより、第５階調〜第１６階調各々では、輝度レベル「α」＋「１フィールド（又は１フレーム）表示期間内において生起されたサスティン放電の総数」に対応した輝度が視覚される。
【０１０９】
すなわち、図１５に示す如き駆動によれば、輝度レベル「０」〜「２５５＋α」なる輝度範囲を図１５に示す如き１６段階にて表すことが可能となるのである。
【０１１０】
かかる駆動によれば、１フィールド表示期間内においてその発光パターン（点灯状態、消灯状態）が互いに反転している領域が１画面内に混在することは無いので、このような状態で生じる疑似輪郭が防止される。
【０１１１】
ここで、図１６に示される駆動では、サブフィールドＳＦ１の第１リセット行程Ｒ１及びＳＦ２の第２リセット行程Ｒ２各々において、列電極Ｄを陰極側、行電極Ｙを陽極側とした電圧を両電極間に印加することにより、行電極Ｙから列電極Ｄに向けて電流が流れる列側陰極放電を第１リセット放電として生起させている。よって、かかる第１リセット放電時には、放電ガス内の陽イオンが列電極Ｄへ向かう際に、図５に示す如き蛍光体層１７内に含まれている二次電子放出材料としてのＭｇＯ結晶体に衝突して、このＭｇＯ結晶体から二次電子を放出させる。特に、図１に示されるプラズマディスプレイ装置のＰＤＰ５０では、ＭｇＯ結晶体を図５に示す如く放電空間に露出させることにより、陽イオンとの衝突の確率を高め、二次電子を効率よく放電空間に放出させるようにしている。すると、かかる二次電子によるプライミング作用により画素セルＰＣの放電開始電圧が低くなるので、比較的弱いリセット放電を生起させることが可能となる。よって、リセット放電の微弱化によりその放電に伴う発光輝度が低下するので、暗い画像を表示する際のコントラスト、いわゆる暗コントラストを向上させた表示が可能となる。
【０１１２】
更に、図１６に示される駆動では、図３に示す如き前面透明基板１０側に形成されている行電極Ｙ、及び背面基板１４側に形成されている列電極Ｄ間で第１リセット放電を生起させている。よって、共に前面透明基板１０側に形成されている行電極Ｘ及びＹ間でリセット放電を生起させる場合に比して、前面透明基板１０側から外部に放出される放電光が少なくなるので、更なる暗コントラストの向上を図ることができる。
【０１１３】
図１４〜図１６に示される駆動では、先頭のサブフィールドＳＦ１において、全画素セルＰＣを消灯モード状態に初期化すべきリセット放電を生起させたた後、この消灯モード状態にある画素セルＰＣを点灯モード状態に遷移させるべき選択書込アドレス放電を生起させる。そして、ＳＦ２に後続するサブフィールドＳＦ３〜ＳＦ１４各々の内の１のサブフィールドにおいて、点灯モード状態にある画素セルＰＣを消灯モード状態に遷移させるべき選択消去アドレス放電を生起させるという選択消去アドレス法を採用した駆動を実施するようにしている。よって、図６に示す如き第１階調に従った駆動によって黒表示（輝度レベル０）を行うと、１フィールド表示期間を通して生起される放電は、先頭サブフィールドＳＦ１でのリセット放電だけとなる。従って、サブフィールドＳＦ１で全画素セルＰＣを点灯モード状態に初期化するリセット放電を生起させてからこれを消灯モード状態に遷移させる選択消去アドレス放電を生起させる駆動を採用した場合に比して、１フィールド表示期間を通して生起される放電回数が少なくなるので、暗コントラストを向上させることができる。
【０１１４】
また、図１４〜図１６に示される駆動においては、最も輝度重みが小なるサブフィールドＳＦ１では、表示画像に寄与する放電として、サスティン放電ではなく微小発光放電を生起させるようにしている。この際、微小発光放電は列電極Ｄ及び行電極Ｙ間で生起される放電である為、行電極Ｘ及びＹ間で生起されるサスティン放電に比べて、その放電に伴う発光時の輝度レベルが低い。よって、かかる微小発光放電によって黒表示（輝度レベル０）よりも１段階だけ高輝度を表す（第２階調）場合には、サスティン放電によってこれを表す場合に比して輝度レベル０との輝度差が小となる。従って、低輝度画像を表現する際の階調表現能力が高まる。更に、第２階調においては、サブフィールドＳＦ１に後続するＳＦ２の第２リセット行程Ｒ２ではリセット放電が生起されないので、このリセット放電に伴う暗コントラストの低下が抑制される。
【０１１５】
図１６に示される駆動では、サブフィールドＳＦ１の第１リセット行程Ｒ１で第１リセット放電を生起させるべく行電極Ｙに印加するリセットパルスＲＰ１Y1のピーク電位を、ＳＦ２の第２リセット行程Ｒ２で第１リセット放電を生起させるべく行電極Ｙに印加するリセットパルスＲＰ２Y1のピーク電位よりも低くしている。これによりサブフィールドＳＦ１の第１リセット行程Ｒ１において、全画素セルＰＣを一斉にリセット放電させた際の発光を弱めて、暗コントラストの低下を抑制させている。
【０１１６】
更に、図１４〜図１６に示される駆動においては、輝度重みが第２番目に小なるサブフィールドＳＦ２のサスティン行程Ｉでは、サスティン放電を１回だけ生起させることにより、低輝度画像を表現する際の階調表現能力が高めている。サブフィールドＳＦ２のサスティン行程Ｉでは、サスティン放電を生起させるべく印加されるサスティンパルスＩＰが１回だけなので、この１回分のサスティンパルスＩＰに応じて生起されたサスティン放電の終息後、行電極Ｙ近傍には負極性の壁電荷、列電極Ｄ近傍には正極性の壁電荷が夫々形成された状態となる。これにより、次のサブフィールドＳＦ３の選択消去アドレス行程ＷDでは、列電極Ｄ及び行電極Ｙ間において列電極Ｄを陽極側とした放電（以降、列側陽極放電と称する）を選択消去アドレス放電として生起させることが可能となる。一方、後続するサブフィールドＳＦ３〜ＳＦ１４各々のサスティン行程Ｉでは、サスティンパルスＩＰの印加回数を偶数としている。よって、各サスティン行程Ｉの終了直後は、行電極Ｙ近傍に負極性の壁電荷、列電極Ｄ近傍には正極性の壁電荷が形成された状態となるので、各サスティン行程Ｉに引き続き実施される選択消去アドレス行程ＷDでは、列側陽極放電が可能となる。従って、列電極Ｄに対しては正極性のパルスが印加されるだけとなり、アドレスドライバ５５の高コスト化が抑制される。
【０１１７】
上記した実施例においては、サブフィールドＳＦ２に列電極Ｄに印加される画素データパルスＤＰのピーク電位Ｖ１、すなわち行電極Ｙと列電極Ｄとの間に印加される電圧Ｖ１が、それ以外のサブフィールドＳＦ１及びＳＦ３〜ＳＦ１４各々に印加される画素データパルスＤＰのピーク電位Ｖ２、すなわち行電極Ｙと列電極Ｄとの間に印加される電圧Ｖ２に比べて高くされ、これによりサブフィールドＳＦ２のアドレス放電を強くして書込を安定化させることが行われている。これは、蛍光体層１７の二次電子放出材料、特にＣＬ発光ＭｇＯ結晶体の作用により、プライミング粒子（荷電粒子）の放出作用を十分としてリセット放電の微弱化が可能となったことに対して、壁電荷の初期化という点で十分に作用しない可能性があることに対処するためである。
【０１１８】
サブフィールドＳＦ２の画素データパルスＤＰを高電圧にしている理由としては、1フィールドのうちのサブフィールドＳＦ３〜ＳＦ１４では大きな放電による初期化行程が存在しない故に、サブフィールドＳＦ３以降のサスティン行程Ｉでも、前サブフィールドＳＦの壁電荷状態がそのまま影響し、サスティン放電が生じなくなってしまうからでる。すなわち、サブフィールドＳＦ２にて画素データパルスＤＰを高電圧にすることが、後続する全てのサブフィールドＳＦへの影響を考えると最も好ましい形態であるからである。
【０１１９】
なお、図１４〜図１６に示される駆動では、第４階調以降の階調においてもサブフィールドＳＦ１にて輝度レベルαの発光を伴う発光微小発光放電を生起するようにしているが、第３階調以降の階調では、この微小発光放電を生起させないようにしても良い。要するに、微小発光放電に伴う発光は極めて低輝度（輝度レベルα）であるため、これよりも高輝度な発光を伴うサスティン放電と併用する場合、つまり第３階調以降の階調において、「輝度レベルα」の輝度増加分を視覚することができない場合には、この微小発光放電を生起させる必要がなくなるからである。
【０１２０】
上記の図１４〜図１６の実施例においては、ＰＤＰ５０を選択消去アドレス法を採用した発光駆動シーケンスに従って駆駆動するようにしているが、図１７に示す如き選択書込アドレス法を採用した発光駆動シーケンスに従って駆動するようにしても良い。
【０１２１】
選択書込アドレス法を採用した場合には、駆動制御回路５６は、図１７に示す如き１フィールド（フレーム）表示期間の先頭のサブフィールドＳＦ１において、第１リセット行程Ｒ１、第１選択書込アドレス行程Ｗ１W、及び微小発光行程ＬＬ各々に従った駆動を順次実施させるべき各種制御信号をパネルドライバに供給する。また、駆動制御回路５６は、サブフィールドＳＦ２〜ＳＦ１４各々において、第２選択書込アドレス行程Ｗ２W、サスティン行程Ｉ及び消去行程Ｅ各々に従った駆動を順次実施させるべき各種制御信号をパネルドライバに供給する。駆動制御回路５６は、更に、サブフィールドＳＦ２において、第２選択書込アドレス行程Ｗ２Wに先立ち、第２リセット行程Ｒ２に従った駆動を順次実施させるべき各種制御信号をパネルドライバに供給する。
【０１２２】
パネルドライバ、すなわち、Ｘ電極ドライバ５１、Ｙ電極ドライバ５３及びアドレスドライバ５５は、駆動制御回路５６から供給された各種制御信号に応じて、図１８に示す如き各種駆動パルスを生成してＰＤＰ５０の列電極Ｄ、行電極Ｘ及びＹに供給する。
【０１２３】
図１８においては、図１７に示されるサブフィールドＳＦ１〜ＳＦ１４の内の、先頭のサブフィールドＳＦ１と、それに続くサブフィールドＳＦ２、並びに最後尾のサブフィールドＳＦ１４での動作のみを抜粋して示すものである。また、図１８において、サブフィールドＳＦ１の第１リセット行程Ｒ１及び第１選択書込アドレス行程Ｗ１W及び微小発光行程ＬＬ各々での動作、並びにＳＦ２の第２リセット行程Ｒ２での動作は図１６に示されるものと同一であるのでその説明は省略する。
【０１２４】
サブフィールドＳＦ２の第２選択書込アドレス行程Ｗ２Wでは、Ｙ電極ドライバ５３が、負極性の所定ベース電位を有するベースパルスＢＰ-を行電極Ｙ1〜Ｙnに同時に印加しつつ、負極性のピーク電位を有する書込走査パルスＳＰWを行電極Ｙ1〜Ｙn各々に順次択一的に印加して行く。この間、Ｘ電極ドライバ５１は、正極性の所定ベース電位を有するベースパルスＢＰ+を行電極Ｘ1〜Ｘn各々に印加する。上記ベースパルスＢＰ-及びベースパルスＢＰ+各々の電位は、書込走査パルスＳＰWの非印加期間中における行電極Ｘ及びＹ間の電圧が画素セルＰＣの放電開始電圧よりも低くなるような電位に設定されている。更に、第２選択書込アドレス行程Ｗ２Wでは、アドレスドライバ５５が、先ず、サブフィールドＳＦ２に対応した画素駆動データビットをその論理レベルに応じたパルス電圧を有する画素データパルスＤＰに変換する。例えば、アドレスドライバ５５は、画素セルＰＣを点灯モードに設定させるべき論理レベル１の画素駆動データビットが供給された場合にはこれを正極性のピーク電位Ｖ１を有する画素データパルスＤＰに変換する。一方、画素セルＰＣを消灯モードに設定させるべき論理レベル０の画素駆動データビットに対してはこれを低電圧(０ボルト)の画素データパルスＤＰに変換する。そして、アドレスドライバ５５は、かかる画素データパルスＤＰを１表示ライン分(ｍ個)ずつ、各書込走査パルスＳＰWの印加タイミングに同期して列電極Ｄ1〜Ｄmに印加して行く。この際、上記書込走査パルスＳＰWと同時に、点灯モードに設定させるべき高電圧Ｖ１の画素データパルスＤＰが印加された画素セルＰＣ内の列電極Ｄ及び行電極Ｙ間には選択書込アドレス放電が生起される。更に、かかる選択書込アドレス放電の直後、この画素セルＰＣ内の行電極Ｘ及びＹ間にも微弱な放電が生起される。つまり、書込走査パルスＳＰWが印加された後、行電極Ｘ及びＹ間にはベースパルスＢＰ-及びベースパルスＢＰ+に応じた電圧が印加されるが、この電圧は各画素セルＰＣの放電開始電圧よりも低い電圧に設定されている為、かかる電圧の印加だけでは画素セルＰＣ内で放電が生起されることはない。ところが、上記選択書込アドレス放電が生起されると、この選択書込アドレス放電に誘発されて、ベースパルスＢＰ-及びベースパルスＢＰ+に基づく電圧印加だけで行電極Ｘ及びＹ間に放電が生起されるのである。このような放電は、ベースパルスＢＰ+が行電極Ｘに印加されない第１選択書込アドレス行程Ｗ１Wでは生起されない。かかる放電並びに上記選択書込アドレス放電により、この画素セルＰＣは、その行電極Ｙ近傍に正極性の壁電荷、行電極Ｘ近傍に負極性の壁電荷、列電極Ｄ近傍に負極性の壁電荷が夫々形成された状態、すなわち、点灯モードに設定される。一方、上記書込走査パルスＳＰWと同時に、消灯モードに設定させるべき低電圧（０ボルト）の画素データパルスＤＰが印加された画素セルＰＣ内の列電極Ｄ及び行電極Ｙ間には上述した如き選択書込アドレス放電は生起されず、それ故に行電極Ｘ及びＹ間でも放電が生じることはない。よって、この画素セルＰＣは、その直前までの状態（消灯モード、点灯モード）を維持する。
【０１２５】
次に、サブフィールドＳＦ２のサスティン行程Ｉでは、Ｙ電極ドライバ５３が、正極性のピーク電位を有するサスティンパルスＩＰを１パルス分だけ発生しこれを行電極Ｙ1〜Ｙn各々に同時に印加する。この間、Ｘ電極ドライバ５１は、行電極Ｘ1〜Ｘnを接地電位（０ボルト）の状態に設定し、アドレスドライバ５５は、列電極Ｄ1〜Ｄmを接地電位（０ボルト）の状態に設定する。上記サスティンパルスＩＰの印加に応じて、点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、このサブフィールドＳＦ２の輝度重みに対応した１回分の表示発光が為される。また、かかるサスティンパルスＩＰの印加に応じて、点灯モードに設定されている画素セルＰＣ内の行電極Ｙ及び列電極Ｄ間においても放電が生起される。かかる放電並びに上記サスティン放電により、画素セルＰＣ内の行電極Ｙ近傍には負極性の壁電荷、行電極Ｘ及び列電極Ｄ各々の近傍には夫々正極性の壁電荷が形成される。
【０１２６】
次に、サブフィールドＳＦ２の消去行程Ｅでは、Ｙ電極ドライバ５３は、第１リセット行程Ｒ１又は第２リセット行程Ｒ２の後半部において印加したリセットパルスＲＰ２Y2と同一波形を有する負極性の消去パルスＥＰを行電極Ｙ1〜Ｙnに印加する。この間、Ｘ電極ドライバ５１は、第２リセット行程Ｒ２の後半部と同様に、正極性の所定ベース電位を有するベースパルスＢＰ+を全ての行電極Ｘ1〜Ｘn各々に印加する。かかる消去パルスＥＰ及びベースパルスＢＰ+に応じて、上記の如きサスティン放電の生起された画素セルＰＣ内で微弱な消去放電が生起される。かかる消去放電により、画素セルＰＣ内に形成されていた壁電荷の一部が消去され、この画素セルＰＣは消灯モード状態に遷移する。更に、消去パルスＥＰの印加に応じて、画素セルＰＣ内の列電極Ｄ及び行電極Ｙ間でも微弱な放電が生起される。かかる放電により、列電極Ｄ近傍に形成されている正極性の壁電荷は、次の第２選択書込アドレス行程Ｗ２Wにおいて正しく選択書込アドレス放電を生起させ得る量に調整される。
【０１２７】
サブフィールドＳＦ３〜ＳＦ１４各々の第２選択書込アドレス行程Ｗ２Wの動作は、サブフィールドＳＦ２と同様である。ただし、画素セルＰＣを点灯モードに設定させるべき論理レベル１の画素駆動データビットがアドレスドライバ５５に供給された場合には正極性のピーク電位Ｖ２を有する画素データパルスＤＰが、書込走査パルスＳＰWの印加タイミングに同期して列電極Ｄ1〜Ｄmに印加される。
【０１２８】
サブフィールドＳＦ３〜ＳＦ１４各々のサスティン行程Ｉでは、Ｘ電極ドライバ５１及びＹ電極ドライバ５３が、図１８に示す如く、行電極Ｙ及びＸ交互に、そのサブフィールドの輝度重みに対応した回数分だけ繰り返し、正極性のピーク電位を有するサスティンパルスＩＰを行電極Ｙ1〜Ｙn及びＸ1〜Ｘnに印加する。かかるサスティンパルスＩＰが印加される度に、点灯モードに設定されている画素セルＰＣ内の行電極Ｘ及びＹ間においてサスティン放電が生起される。かかるサスティン放電に伴って蛍光体層１７から照射される光が前面透明基板１０を介して外部に照射されることにより、そのサブフィールドＳＦの輝度重みに対応した回数分の表示発光が為される。各サスティン行程Ｉ内において印加されるサスティンパルスＩＰの総数は奇数である。すなわち、各サスティン行程Ｉ内において、先頭のサスティンパルスＩＰ及び最終のサスティンパルスＩＰは共に、行電極Ｙに印加されることになる。よって、各サスティン行程Ｉの終了直後、サスティン放電の生起された画素セルＰＣ内の行電極Ｙ近傍には負極性の壁電荷、行電極Ｘ及び列電極Ｄ各々の近傍には夫々正極性の壁電荷が形成される。これにより、各画素セルＰＣ内の壁電荷形成状態は、第１リセット行程Ｒ１又は第２リセット行程Ｒ２での第１リセット放電終了直後と同一となる。従って、その直後に実施される消去行程Ｅにおいて、第１リセット行程Ｒ１又は第２リセット行程Ｒ２の後半部において印加されるリセットパルスＲＰ１Y2又はＲＰ２Y2と同一波形を有する消去パルスＥＰを行電極Ｙに印加することにより、全ての画素セルＰＣの状態を消灯モードの状態に遷移させることができるのである。
【０１２９】
サブフィールドＳＦ３〜ＳＦ１４各々の消去行程Ｅにおいては、上記のサブフィールドＳＦ２の消去行程Ｅと同様の動作が行われる。
【０１３０】
ここで、図１７及び図１８にされる駆動に基づき、黒表示（輝度レベル０）を表す第１階調よりも１段階だけ高輝度を表す第２階調では、サブフィールドＳＦ１〜ＳＦ１４の内のＳＦ１のみで選択書込アドレス放電を生起させる。これによりＳＦ１〜ＳＦ１４各々の内のＳＦ１のみで表示画像に関与する放電として微小発光放電が生起される。かかる第２階調よりも１段階だけ高輝度を表す第３階調では、サブフィールドＳＦ１〜ＳＦ１４の内のＳＦ２のみで選択書込アドレス放電を生起させる。これによりサブフィールドＳＦ１〜ＳＦ１４各々の内のＳＦ２のみで表示画像に関与する放電とし１回分のサスティン放電が生起される。そして、第４階調以降では、サブフィールドＳＦ１及びＳＦ２各々で選択書込アドレスを生起させ、更に、その階調に対応した数だけ連続したサブフィールド各々で選択書込アドレスを生起させる。これにより、表示画像に関与する放電として、先ず、サブフィールドＳＦ１にて微小発光放電が生起された後、その階調に対応した数だけ連続したサブフィールド各々でサスティン放電が生起される。
【０１３１】
かかる駆動によれば、図１５と同様な（Ｎ＋１）階調分（Ｎ：１フィールド表示期間内のサブフィールド数）の中間輝度表示が可能となる。
【０１３２】
一方、図１７及び図１８にされる駆動に基づき、１フィールド表示期間内において選択書込アドレス放電を生起させるべきサブフィールドの組み合わせ方により、２N階調分（Ｎ：１フィールド表示期間内のサブフィールド数）の中間輝度を表現することも可能である。すなわち、１４個のサブフィールドＳＦ１〜ＳＦ１４によれば、選択書込アドレス放電を生起させるサブフィールドの組み合わせパターンは、２14通り存在するので１６３８４階調分の中間輝度表示が可能となる。
【０１３３】
この際、図１８に示される駆動によれば、第１リセット行程Ｒ１又は第２リセット行程Ｒ２にて行電極Ｙに印加されるリセットパルスＲＰ１Y2又はＲＰ２Y2と、消去行程Ｅにおいて行電極Ｙに印加される消去パルスＥＰとが同一波形であるので、両者を共通の回路で生成することが可能となる。更に、サブフィールドＳＦ１〜ＳＦ１４各々では、画素セルＰＣの状態（点灯モード、消灯モード）を設定する方法として、選択書込アドレス行程（Ｗ１W、Ｗ２W）のみを採用したので、走査パルスを生成する回路は１系統だけで済む。かかる選択書込アドレス行程では、列電極側を陽極とした一般的な列側陽極放電を生起させている。
【０１３４】
よって、ＰＤＰ５０を駆動するにあたり、図１７及び図１８に示されるが如き駆動を採用した場合には、図１４及び図１６に示されるが如き駆動を採用した場合に比して、各種駆動パルスを生成する為のパネルドライバを安価に構築することが可能となる。
【０１３５】
また、図１７及び図１８に示された実施例においても、サブフィールドＳＦ２に列電極Ｄに印加される画素データパルスＤＰのピーク電位Ｖ１、すなわち行電極Ｙと列電極Ｄとの間に印加される電圧Ｖ１がそれ以外のサブフィールドＳＦ１及びＳＦ３〜ＳＦ１４各々に印加される画素データパルスＤＰのピーク電位Ｖ２、すなわち行電極Ｙと列電極Ｄとの間に印加される電圧Ｖ２に比べて高くされ、これによりサブフィールドＳＦ２のアドレス放電を強くして書込を安定化させることが行われている。
【０１３６】
図１６及び図１８に示された実施例においては、微小発光パルスＬＰ及びリセットパルスＲＰ２Y1を連結させて行電極Ｙに印加するようにしているが、図１９に示す如く、両者を時間的に分散させて行電極Ｙに順次印加するようにしても良い。
【０１３７】
また、図１６及び図１８に示されたリセット行程Ｒでは、全ての画素セルに対して一斉にリセット放電を生起させるようにしているが、夫々が複数の画素セルからなる画素セルブロック毎に、リセット放電を時間的に分散させて実施するようにしても良い。
【０１３８】
なお、図１６及び図１８のサブフィールドＳＦ１の画素データパルスＤＰのピーク電位はＶ２であるが、図２０（選択消去アドレス法）及び図２１（選択書込アドレス法）に示されるように、サブフィールドＳＦ２に加えてサブフィールドＳＦ１の画素データパルスＤＰのピーク電位をＶ１としても良い。この場合には、サブフィールドＳＦ１のアドレス行程Ｗ１Wの微小発光放電も安定して放電することとなる。
【０１３９】
図１８の構成において、画素セルＰＣを点灯モードに設定させるべき論理レベル１に対応して、第２サブフィールドＳＦ２の画素データパルスＤＰの電位をＶ１とし、他のサブフィールドＳＦ１及びＳＦ３〜ＳＦ１４各々の画素データパルスＤＰの電位をＶ２とし、Ｖ１＞Ｖ２としているが、その論理レベル１に対応する全てのサブフィールドＳＦ１〜ＳＦ１４各々の画素データパルスＤＰの電位を同電位とし、サブフィールドＳＦ２の書込走査パルスＳＰWの電位を、他のサブフィールドＳＦ１及びＳＦ３〜ＳＦ１４各々の書込走査パルスＳＰWの電位に比べて負極性側へ低い電位としても良い。すなわち、選択書込アドレス行程Ｗ２Wにおいて行電極Ｙと列電極Ｄとの間の電位差を、第２サブフィールドＳＦ２ではサブフィールドＳＦ１及びＳＦ３〜ＳＦ１４に比べて大とすることにより、書込放電を大きくするようにすれば良い。また、画素データパルスＤＰのピーク電位はＶ１＞Ｖ２の関係であれば、壁電荷に影響を与えるような過放電を防止するために常に一定でなくても良い。
【０１４０】
なお、図５においては、ＰＤＰ５０の背面基板１４側に設けられている蛍光体層１７内にＭｇＯ結晶体を含ませるようにしているが、図２６に示されるように、蛍光体粒子からなる蛍光体粒子層１７ａの表面を覆うように二次電子放出材からなる二次電子放出層１８を設け、積層された蛍光体粒子層１７ａ及び二次電子放出層１８を蛍光体層１７とするようにしても良い。この際、二次電子放出層１８としては、蛍光体粒子層１７ａの表面上に、二次電子放出材からなる結晶（例えば、ＣＬ発光ＭｇＯ結晶体を含んだＭｇＯ結晶）を敷き詰めて形成するようにしてもよく、或いは二次電子放出材を薄膜成膜して形成させるようにしても良い。
【図面の簡単な説明】
【０１４１】
【図１】本発明によるプラズマディスプレイ装置の概略構成を示す図である。
【図２】図１の装置中のＰＤＰを内部構造を模式的に示す正面図である。
【図３】図２に示されるＶ−Ｖ線上での断面を示す図である。
【図４】図２に示されるＷ−Ｗ線上での断面を示す図である。
【図５】図２のＰＤＰの各画素セルの蛍光体層内に含まれるＭｇＯ結晶体を模式的に表す図である。
【図６】階調毎の発光パターンを示す図である。
【図７】図１の装置に発光駆動方式として選択消去アドレス法を採用した場合の発光駆動シーケンスの一例を示す図である。
【図８】図７の発光駆動シーケンスに従ってＰＤＰに印加される各種駆動パルスを示す図である。
【図９】従来のＰＤＰに対してリセットパルスを印加した際に生起される列側陰極放電における放電強度の推移を表す図である。
【図１０】図５の構造を有するＰＤＰに対してリセットパルスを印加した際に生起される列側陰極放電における放電強度の推移を表す図である。
【図１１】リセットパルスの他の波形を表す図である。
【図１２】図１の装置に発光駆動方式として選択書込アドレス法を採用した場合の発光駆動シーケンスの一例を示す図である。
【図１３】図１２の発光駆動シーケンスに従ってＰＤＰに印加される各種駆動パルスを示す図である。
【図１４】図１の装置に発光駆動方式として選択消去アドレス法を採用した場合の発光駆動シーケンスの他例を示す図である。
【図１５】図１４の発光シーケンスの場合の階調毎の発光パターンを示す図である。
【図１６】図１４の発光駆動シーケンスに従ってＰＤＰに印加される各種駆動パルスを示す図である。
【図１７】図１の装置に発光駆動方式として選択書込アドレス法を採用した場合の発光駆動シーケンスの他例を示す図である。
【図１８】図１７の発光駆動シーケンスに従ってＰＤＰに印加される各種駆動パルスを示す図である。
【図１９】図１６及び図１８の微小発光パルス及びリセットパルスの変形例を示す図である。
【図２０】図１６の先頭サブフィールドの画素データパルスの変形例を示す図である。
【図２１】図１８の先頭サブフィールドの画素データパルスの変形例を示す図である。
【図２２】図２のＰＤＰの各画素セルの蛍光体層の他の構成例を示す図である。
【主要部分の符号の説明】
【０１４２】
１３    酸化マグネシウム層
１７    蛍光体層
５０    ＰＤＰ
５１    Ｘ電極ドライバ
５３    Ｙ電極ドライバ
５５    アドレスドライバ
５６    駆動制御回路
【図１】
2008170780.tif 000003
【図２】
2008170780.tif 000004
【図３】
2008170780.tif 000005
【図４】
2008170780.tif 000006
【図５】
2008170780.tif 000007
【図６】
2008170780.tif 000008
【図７】
2008170780.tif 000009
【図８】
2008170780.tif 000010
【図９】
2008170780.tif 000011
【図１０】
2008170780.tif 000012
【図１１】
2008170780.tif 000013
【図１２】
2008170780.tif 000014
【図１３】
2008170780.tif 000015
【図１４】
2008170780.tif 000016
【図１５】
2008170780.tif 000017
【図１６】
2008170780.tif 000018
【図１７】
2008170780.tif 000019
【図１８】
2008170780.tif 000020
【図１９】
2008170780.tif 000021
【図２０】
2008170780.tif 000022
【図２１】
2008170780.tif 000023
【図２２】
2008170780.tif 000024